(57)【要約】【課題】再生中のコンテンツの画面から遷移元となりうるコンテンツの画面への遷移を可能とする車載器を提供する。【解決手段】車載器の制御部は、遷移元及び遷移先を有する第１コンテンツの再生画面において、当該第１コンテンツの遷移先となる第２コンテンツに遷移するための遷移先ボタンを表示させるとともに、当該第１コンテンツの遷移元となる第３コンテンツが前記第２コンテンツと異なる場合に当該第３コンテンツに遷移するための遷移元ボタンを表示させる。そして、前記遷移先ボタンまたは前記遷移元ボタンに対応する操作信号が入力されたときに、操作されたボタンに対応する前記第２コンテンツまたは前記第３コンテンツの再生画面に遷移させる。【選択図】図１８
2010049452.tif 000002
【特許請求の範囲】
【請求項１】
路側無線装置を介してセンター装置と無線通信を行う通信部と、
前記センター装置から配信されたツリー構造を構成する複数のコンテンツを記憶する記憶部と、
前記記憶部に記憶されているコンテンツの再生画面を表示する表示部と、
前記表示部におけるコンテンツの再生画面の表示制御を行う制御部と、を備え、
前記制御部は、遷移元及び遷移先を有する第１コンテンツの再生画面において、当該第１コンテンツの遷移先となる第２コンテンツに遷移するための遷移先ボタンを表示させるとともに、当該第１コンテンツの遷移元となる第３コンテンツが前記第２コンテンツと異なる場合に当該第３コンテンツに遷移するための遷移元ボタンを表示させ、
前記遷移先ボタンまたは前記遷移元ボタンに対応する操作信号が入力されたときに、操作されたボタンに対応する前記第２コンテンツまたは前記第３コンテンツの再生画面に遷移させることを特徴とする車載器。
【請求項２】
前記制御部は、前記表示部に前記第１コンテンツの再生画面を表示させるときに、前記第３コンテンツが前記第２コンテンツに一致するか否かを判定することを特徴とする請求項１に記載の車載器。
【請求項３】
前記制御部は、前記通信部により前記第１コンテンツを受信して前記記憶部に記憶する際に、前記第３コンテンツが前記第２コンテンツと一致するか否かを判定することを特徴とする請求項１に記載の車載器。
【請求項４】
一つの第１コンテンツに対して遷移元となりうる複数の第３コンテンツがある場合、
前記制御部は、前記複数の第３コンテンツの中から所定の条件に従って優先される１のコンテンツを選択して、当該選択された第３コンテンツに遷移するための遷移元ボタンを表示させることを特徴とする請求項１から３のいずれか一項に記載の車載器。
【請求項５】
一つの第１コンテンツに対して遷移元となりうる複数の第３コンテンツがある場合、
前記制御部は、前記複数の第３コンテンツのそれぞれに対応する遷移元ボタンを表示させることを特徴とする請求項１から３のいずれか一項に記載の車載器。
【発明の詳細な説明】
【技術分野】
【０００１】
本発明は、センター装置から配信されたコンテンツを再生可能な車載器に関する。
【背景技術】
【０００２】
従来、路上に設置された路側無線装置と車両に搭載された車載器から構成され、路側無線装置と車載器の間で双方向の無線通信を行う路車間通信システムが知られている。この路車間通信システムでは、例えば、ＤＳＲＣ（Dedicated Short Range Communication）と呼ばれる狭域通信方式が採用されている。
車載器は、路側無線装置と狭域無線通信を行い、当該路側無線装置を介してセンター装置から情報提供を受けることが可能となっている。すなわち、車両が路側無線装置の通信範囲内にある間のみ、車載器と路側無線装置との双方向通信が可能となり、この間にセンター装置から路側無線装置を介して車載器にコンテンツが配信される。
【０００３】
上述した路車間通信システムの利用形態の一つとして、センター装置（サービス事業者）から車載器に対して、路側無線装置周辺の特定地域において有用なコンテンツ（例えば、周辺にある店舗や駐車場、医療機関等の地域情報、広告等）を配信させることが提案されている。また、センター装置から配信されたコンテンツを車載器で蓄積し、車載器が路側無線装置と通信できない環境（通信エリア外）においても、利用者の操作により呼び出して、又は自動的に、蓄積されているコンテンツを再生させる技術が提案されている（例えば、特許文献１）。
【０００４】
また、センター装置から配信される地域情報には多数のコンテンツが含まれているため、車載器では蓄積したコンテンツを再生する際に、ツリー構造（階層構造）のインターフェースを用いて所望のコンテンツにアクセスして再生することが検討されている。
【特許文献１】特開２００７−１０９０３２号公報
【発明の開示】
【発明が解決しようとする課題】
【０００５】
特許文献１では、車載器において、センター装置から配信されたコンテンツを蓄積することで、通信エリア外でもコンテンツを再生できるようにしているが、蓄積されたコンテンツにアクセスする方法については開示されていない。そのため、車載器に、広告情報等の余計なコンテンツが多数蓄積されていると、所望のコンテンツに簡単にアクセスすることはできないと考えられる。
また、ツリー構造のインターフェースを用いて所望のコンテンツにアクセスする方法では、再生中のコンテンツからその遷移先のコンテンツを指定することは可能であるが、遷移元に戻る情報がないため、当該コンテンツにアクセスするための操作が極めて煩雑となる。
【０００６】
本発明は、再生中のコンテンツの画面から遷移元となりうるコンテンツの画面への遷移を可能とする車載器を提供することを目的とする。
【課題を解決するための手段】
【０００７】
上記目的を達成するため、請求項１に記載の発明は、路側無線装置を介してセンター装置と無線通信を行う通信部と、
前記センター装置から配信されたツリー構造を構成する複数のコンテンツを記憶する記憶部と、
前記記憶部に記憶されているコンテンツの再生画面を表示する表示部と、
前記表示部におけるコンテンツの再生画面の表示制御を行う制御部と、を備え、
前記制御部は、遷移元及び遷移先を有する第１コンテンツの再生画面において、当該第１コンテンツの遷移先となる第２コンテンツに遷移するための遷移先ボタンを表示させるとともに、当該第１コンテンツの遷移元となる第３コンテンツが前記第２コンテンツと異なる場合に当該第３コンテンツに遷移するための遷移元ボタンを表示させ、
前記遷移先ボタンまたは前記遷移元ボタンに対応する操作信号が入力されたときに、操作されたボタンに対応する前記第２コンテンツまたは前記第３コンテンツの再生画面に遷移させることを特徴とする車載器である。
【０００８】
請求項２に記載の発明は、請求項１に記載の車載器において、前記制御部は、前記表示部に前記第１コンテンツの再生画面を表示させるときに、前記第３コンテンツが前記第２コンテンツに一致するか否かを判定することを特徴とする。
【０００９】
請求項３に記載の発明は、請求項１に記載の車載器において、前記制御部は、前記通信部により前記第１コンテンツを受信して前記記憶部に記憶する際に、前記第３コンテンツが前記第２コンテンツと一致するか否かを判定することを特徴とする。
【００１０】
請求項４に記載の発明は、請求項１から３のいずれか一項に記載の車載器において、一つの第１コンテンツに対して遷移元となりうる複数の第３コンテンツがある場合、
前記制御部は、前記複数の第３コンテンツの中から所定の条件に従って優先される１のコンテンツを選択して、当該選択された第３コンテンツに遷移するための遷移元ボタンを表示させることを特徴とする。
【００１１】
請求項５に記載の発明は、請求項１から３のいずれか一項に記載の車載器において、一つの第１コンテンツに対して遷移元となりうる複数の第３コンテンツがある場合、
前記制御部は、前記複数の第３コンテンツのそれぞれに対応する遷移元ボタンを表示させることを特徴とする。
【発明の効果】
【００１２】
本発明に係る車載器によれば、再生中のコンテンツの画面から遷移元となりうるコンテンツの画面への遷移が可能となるので、利便性が格段に向上する。
また、再生中のコンテンツに対して遷移元となるコンテンツが遷移先として登録されている場合には、当該コンテンツについては遷移先ボタンだけを表示させるので、一つのコンテンツに遷移するための操作ボタンが複数（遷移先ボタンと遷移元ボタン）表示されることはなく、利用者が混乱するのを防止することができる。
【発明を実施するための最良の形態】
【００１３】
以下、本発明の実施の形態を図面に基づいて説明する。
図１は、本実施形態に係る路車間通信システム１００のシステム構成を示す説明図である。
図１に示すように、路車間通信システム１００は、センター装置１、路側無線装置２、車両Ｃに搭載された車載器５を含んで構成される。なお、図１では、１台のセンター装置１のみ示しているが、センター装置１はコンテンツを提供するサービス提供事業者毎に設けられる。
【００１４】
路側無線装置２は、路上や駐車場等に複数設置され、各路側無線装置２はネットワークＮを介してセンター装置１と接続されている。また、路側無線装置２は、車載器５と狭域通信（ＤＳＲＣ）により情報の送受信を行う。
すなわち、センター装置１は、路側無線装置２を介して車載器５にコンテンツを提供可能となっている。そして、車載器５は、提供されたコンテンツに再生処理を施し、このコンテンツに基づく音声をスピーカから出力したり、映像をディスプレイに表示したりする。
【００１５】
図２は、センター装置１及び路側無線装置２の内部構成を示すブロック図である。すなわち、センター装置１及び路側無線装置２は、図２に示す機能ブロックからなる処理装置（例えば、コンピュータ端末）を備えている。
【００１６】
図２に示すように、センター装置１は、制御部１１、ネットワーク通信部１２、コンテンツ記憶部１３、を備えて構成される。
制御部１１は、ＣＰＵ１１１、ＲＯＭ１１２、ＲＡＭ１１３を備える。ＣＰＵ１１１は、ＲＡＭ１１３を作業領域として、ＲＯＭ１１２に記憶された制御プログラムを実行することにより、各種演算を行うほか、ネットワーク通信部１２を制御する。
【００１７】
ネットワーク通信部１２は、ＴＣＰ／ＩＰ等の通信プロトコルに従って処理を行い、ネットワークＮを介して路側無線装置２にコンテンツを送信する。
コンテンツ記憶部１３は、例えば、ハードディスクで構成され、車載器５に提供するためのコンテンツを記憶する。このコンテンツは、利用者に提供するテキスト情報、画像情報、音楽情報等を含んで構成され、その内容としては、例えば、店舗の広告や駐車場、医療施設の案内、クーポン等、様々なものが挙げられる。また、コンテンツは、後述する所定のフォーマット（いわゆる複合コンテンツフォーマット）に従って構成される。
【００１８】
路側無線装置２は、制御部２１、ＤＳＲＣ通信部２２、ネットワーク通信部２３、を備えて構成される。
制御部２１は、ＣＰＵ２１１、ＲＯＭ２１２、ＲＡＭ２１３を備える。ＣＰＵ２１１は、ＲＡＭ２１３を作業領域として、ＲＯＭ２１２に記憶された制御プラグラムを実行することにより、各種演算を行うほか、ＤＳＲＣ通信部２２、ネットワーク通信部２３を制御する。
【００１９】
ＤＳＲＣ通信部２２は、ＤＳＲＣにより車両Ｃに搭載されている車載器５にコンテンツを送信する。
ネットワーク通信部２３は、ＴＣＰ／ＩＰ等の通信プロトコルに従って処理を行い、ネットワークＮを介してセンター装置１からのコンテンツ情報等を受信する。
路側無線装置２において、センター装置１から送信されたコンテンツを受信すると、ＤＳＲＣ通信部２２はコンテンツを提供するためのＤＳＲＣ電波を常時発信する。路側無線装置２と通信可能な範囲（路側エリア）を車両が通過した際に、この車両Ｃに搭載された車載器５に対してコンテンツが配信されることとなる。
【００２０】
図３は、路側無線装置２の通信可能範囲である路側エリアＺの説明図である。
図３に示すように、路側無線装置２は、道路脇や道路上方に設置されたアンテナ２ａから到達距離が限定されたＤＳＲＣ電波を放射し、路側無線装置近傍に路側エリアＺを形成する。ここで、ＤＳＲＣとは、５．８ＧＨｚ帯の電波を使った狭域通信方式であり、その通信範囲は、例えば、数メートルから数十メートルとされる。
【００２１】
路車間通信システム１００では、複数の路側無線装置２が設置されるが、路側無線装置２からのＤＳＲＣ電波の出力は何れも同じ程度に設定されるので、複数の路側無線装置２がそれぞれ形成する路側エリアは設定場所に関係なく、ほぼ一定である。そして、路側無線装置２は、それぞれの路側エリア内にある車両Ｃに搭載された車載器５とだけ、双方向無線通信（路車間通信）が可能となる。
【００２２】
図４は、車両Ｃに搭載される車載器５の一構成例を示すブロック図である。
車載器５は、ＩＴＳ（Intelligent Transport Systems：高度道路交通システム）に適用可能なＩＴＳ車載器であり、路車間通信システム１００において、センター装置１から路側無線装置２を介して配信されたコンテンツ等を受信し、再生・出力するものである。
【００２３】
図４に示すように、車載器５は、制御部５１、ＤＳＲＣ部５２、ＶＩＣＳモジュール５３、カーナビ部５４、を備えて構成されている。
【００２４】
制御部５１は、ＣＰＵ５１１、ＲＯＭ５１２、ＲＡＭ５１３を備えて構成される。ＣＰＵ５１１は、ＲＡＭ５１３を作業領域として、ＲＯＭ５１２に記憶された制御プラグラムを実行することにより、各種演算を行うほか、各部の集中制御を行う。
【００２５】
ＤＳＲＣ部５２は、ＤＳＲＣ制御部５２１、ＤＳＲＣ通信部５２２、記憶部５２３、ＥＴＣ処理部５２４、ＩＣカードインターフェース５２５、を備えて構成され、路側無線装置２やＥＴＣ基地局とＤＳＲＣにより通信するための処理を行う。
【００２６】
ＤＳＲＣ制御部５２１は、ＣＰＵ、ＲＯＭ、ＲＡＭ（何れも図示略）を備えて構成され、ＲＯＭに記憶されている制御プログラムとの協働によりＤＳＲＣ部５２の各部の動作を制御する。
例えば、ＥＴＣによる決済を行う際には、ＤＳＲＣ通信部５２２の通信動作を制御してＥＴＣ基地局から決済情報を受信させる。また、ＥＴＣ処理部５２４により決済情報をクレジットカード等のＩＣに書き込む処理を行わせる。
また例えば、ＤＳＲＣ通信部５２２により、センター装置１から路側無線装置２を介して配信されたコンテンツを受信した場合には、これを制御部５１に転送する。
【００２７】
ＤＳＲＣ通信部５２２は、車両Ｃのダッシュボード上でフロントガラス近傍に設置されたアンテナを備え、このアンテナを介して路側無線装置２やＥＴＣ基地局と、ＤＳＲＣによる通信を行う。
記憶部５２３は、例えば、不揮発メモリで構成され、車載器５に付番される車載器ＩＤや、車載器５を搭載する車両Ｃの車両情報等を記憶する。
車載器ＩＤは、製造時に個々の車載器に付番される車載器情報である。車両情報は、車載器５を搭載する車両Ｃのナンバープレート情報や、車種情報（大型車両、中型車両、小型車両、身障者運転者両など）を含み、車両Ｃに車載器５を搭載する際に登録される（セットアップ）。
【００２８】
ＥＴＣ処理部５２４は、ＩＣカードインターフェース５２５に挿抜されるＩＣ付きクレジットカード又はデビットカード等に対して、決済情報等の読み書きを行う。
ＩＣカードインターフェース５２５は、クレジットカード等を装着するスロットを備え、このスロットに挿入されたクレジットカード等のＩＣとＥＴＣ処理部５２４との間の情報のやりとりを仲介する。
【００２９】
ＶＩＣＳモジュール５３は、光通信用、ＦＭ通信用、２．４ＧＨｚ電波通信用のアンテナをそれぞれ備え、ＶＩＣＳ（Vehicle Information and Communication System：道路交通情報通信システム）センターと光通信、ＦＭ通信、電波通信を行う。ＶＩＣＳモジュール５３は、ＶＩＣＳセンターから渋滞情報や道路交通情報等を受信し、制御部５１に転送する。
【００３０】
カーナビ部５４は、カーナビ制御部５４１、現在地検出部５４２、地図記憶部５４３、操作部５４４、出力部５４５、記憶部５４６、ネットワーク通信部５４７、を備えて構成され、例えば、車両Ｃを案内経路へ誘導するための処理を行う。
【００３１】
カーナビ制御部５４１は、現在地検出部５４２から取得した現在地の情報及び地図記憶部５４３に記憶された地図情報等に基づいて、車両Ｃの現在地から操作部５４４を介して設定された目的地までの案内経路を算出する。そして、地図記憶部５４３に記憶されている地図情報を用いて、算出した案内経路へ誘導するための地図画面を作成し、出力部５４５のディスプレイに表示させる。
また、カーナビ制御部５４１は、センター装置１から配信されたコンテンツを再生する再生部として機能する。具体的には、カーナビ制御部５４１は、制御部５１と協働して、出力部５４５のディスプレイにおけるコンテンツの再生画面の表示制御や音声出力制御を行う。
【００３２】
現在地検出部５４２は、ＧＰＳ（Global Positioning System：全地球測位システム）、ジャイロセンサ等を備える。
ＧＰＳは、ＧＰＳ衛星から送信されるＧＰＳ信号を受信し、これに基づいて自車位置（緯度、経度）を算出する。
ジャイロセンサは、移動方向の変化量を示す車の加速度（単位時間当たりの水平方向への回転速度）を検出する（角速度センサ）とともに、地磁気の検出を行い（方位センサ）、自車の絶対方位を検出する。
現在地検出部５４２は、ＧＰＳとジャイロセンサから取得した情報に基づいて車両の現在地を示す現在地情報（緯度、経度等の情報）や走行速度の情報を作成する。
【００３３】
地図記憶部５４３は、ハードディスクやＤＶＤ等の記憶媒体で構成され、案内表示に必要な地図情報を記憶する。
操作部５４４は、車載器本体に設けられるハードキー、出力部５４５のディスプレイに一体的に設けられたタッチパネル（ソフトキー）、又はリモコンで構成される。操作部５４４は、利用者によってキー操作がなされたときに、この操作に対応する操作信号を制御部５１に出力する。
【００３４】
出力部５４５は、ディスプレイとスピーカで構成される。例えば、センター装置１から提供されたコンテンツが再生されると、ディスプレイでは当該コンテンツに基づく表示案内が出力され、スピーカでは音声案内が出力される。
また、出力部５４５は、記憶部５４６に記憶されているコンテンツを画像又は音声により利用者に通知する通知部として機能する。この出力部５４５によるコンテンツの通知動作は、制御部５１とカーナビ制御部５４１の協働により制御される。
また、出力部５４５のディスプレイは、タッチパネル機能を有し、画面上に表示されたボタンが操作されると、ボタンに対応する制御が行われることとなる。
【００３５】
記憶部５４６は、例えば、読み書き可能な半導体メモリで構成される。記憶部５４６は、例えば、ＶＩＣＳモジュール５３を介して受信されるガイド情報（道路情報、渋滞情報等）や車両の走行履歴、センター装置１から配信されたコンテンツのデータ等を記憶する。
ネットワーク通信部５４７は、例えば、ＩＰ接続可能な路側無線装置２又はＩＰ接続可能な携帯電話等を介してインターネットに接続する。例えば、コンテンツに含まれるＵＲＬ情報で指定されるサイトに接続する。接続されたサイトは、ウェブブラウザ等の所定のアプリケーションソフトによって出力部５４５のディスプレイに表示されることとなる。
【００３６】
上述したように、本実施形態の車載器５は、路側無線装置２を介してセンター装置１と無線通信を行うＤＳＲＣ部５２（通信部）と、センター装置１から配信されたコンテンツを記憶する記憶部５４６と、記憶部５４６に記憶されているコンテンツの再生画面を表示する出力部５４５のディスプレイ（表示部）と、再生画面を遷移するための操作部５４４と、出力部５４５のディスプレイにおけるコンテンツの再生画面の表示制御を行う制御部５１，カーナビ制御部５４１（制御部）と、を備える。
【００３７】
図５は、センター装置１から配信されるコンテンツのデータ構造の一例について示す説明図である。図５に示すように、センター装置１からは一時に複数の情報グループ（情報グループ群）が配信され、車載器５では複数の情報グループを受信して、即時再生又は記憶部５４６に蓄積することとなる。
ここで、図５における情報グループ１、２、・・ｎのそれぞれが一つのコンテンツであり、車載器５においては情報グループを単位として再生処理が行われる。なお、本明細書では、情報グループとコンテンツを同義として扱うものとする。
【００３８】
図５に示すように、一つの情報グループは、内容により分類された複数の要素で構成される。各構成要素はＩＤ番号（００、０１、・・等）と当該ＩＤ番号に対応して格納される実データからなる。図５において、情報グループ１には、ＩＤ＝００（ＩＤ番号が“００”であることを示す、以下同じ）、ＩＤ＝０１、ＩＤ＝０２、ＩＤ＝０３、ＩＤ＝０４、ＩＤ＝０５、ＩＤ＝１０、ＩＤ＝３０で規定される情報が含まれていることを示している。
【００３９】
センター装置１から配信される情報グループは、例えば、図６に示すようなツリー構造を構成している。すなわち、それぞれの情報グループには遷移元または／及び遷移先となる情報グループが存在する。
図６において、情報グループ間は矢印で結ばれているが、矢印の基点に位置する情報グループに対して矢印の終点に位置する情報グループが遷移先となる。例えば、出発点となる最上位階層の情報グループ１は、遷移先として下位階層の情報グループ２，３，５，７，８を有している。
一般には、例えば情報グループ５のように、下位階層の情報グループ６，４０が遷移先となるが、情報グループ２のように、当該情報グループ２と同位階層の情報グループ７，８が遷移先となる場合や、情報グループ２０のように、当該情報グループ２０の上位階層の情報グループ３が遷移先となる場合もある。
また、矢印の終点に位置する情報グループに対して矢印の基点に位置する情報グループが遷移元となる。
【００４０】
図７は、情報グループを構成する各要素（ＩＤ番号及びこれに対応して格納されている実データ）の詳細内容の一例を示す説明図である。
ＩＤ＝００には、情報グループを構成している複数の要素のＩＤ番号が記述される。例えば、図５に示す情報グループ１の場合、ＩＤ＝００には、“００、０１、０２、０３、０４、０５、１０、３０、・・”が記述される。車載器５は、情報グループのＩＤ＝００に記述されている情報を参照することで、当該情報グループに含まれる情報の内容を確認できる。
【００４１】
ＩＤ＝０１には、当該情報グループを含む複数の情報グループを配信するサービス事業者（センター装置１）に関する情報が記述される。具体的には、ＤＳＲＣの運用を管理する機関で規定され、サービス事業者毎にユニークに割り付けられるサービス事業者コード、サービス事業者を利用者に視覚的に通知するためのサービス事業者表示テキスト、サービス事業者を利用者に音声で通知するためのサービス事業者表音文字列等が記述される。
【００４２】
ＩＤ＝０２には、当該情報グループ（コンテンツ）に関する情報が記述される。具体的には、サービス事業者が配信する情報グループの提供元を示す情報提供企業コード、情報提供企業を利用者に視覚的に通知するための情報提供企業表示テキスト、情報提供企業を利用者に音声で通知するための情報提供企業表音文字列、サービス事業者が情報グループ毎にユニークに割り付ける情報コード、情報グループの名称を利用者に視覚的に通知するための情報表示テキスト、情報グループを利用者に音声で通知するための情報表音文字列、当該情報グループをカテゴリー分けするために用いる嗜好データカテゴリ等が記述される。
【００４３】
ＩＤ＝０３には、当該情報グループ（コンテンツ）に関する情報が記述される。具体的には、受信した情報グループを受信完了後すぐに再生するか、通信エリア外でも利用可能に蓄積するかを表す即時再生／蓄積コード、情報グループを再生すべきエリア（情報提供地点）において当該情報グループを再生できない場合の挙動を規定する再生条件コードが記述される。
【００４４】
ＩＤ＝０４には、当該情報グループの有効期限に関する情報（有効期限情報）が記述される。具体的には、有効期限開始日時（開始年月日時分秒）、有効期限終了日時（終了年月日時分秒）が記述される。有効期限開始日時が経過後に当該情報グループの再生が可能となる。一方、有効期限終了日時が経過した情報グループについては、その再生は不可能とするようにしてもよい。また有効期限終了日時が経過した情報グループについても再生を可能とすることもできる。これらは車載器の仕様により適宜設定される。
【００４５】
ＩＤ＝０５には、当該情報グループの提供時間に関する情報が記述される。具体的には、後述するＩＤ＝１０で規定される対象地点（店舗等）の曜日毎の営業時間、当該情報グループを再生可能とする曜日毎の情報提供時間が記述される。
【００４６】
ＩＤ＝１０には、当該情報グループによるサービス対象となる対象地点に関する情報が記述される。具体的には、サービス対象地点の緯度経度を表す対象地点座標、対象地点名称を利用者に視覚的に通知するための対象地点表示用テキスト等が記述される。
【００４７】
ＩＤ＝３０には、当該情報グループの再生画面からの遷移先に関する情報（遷移情報）が記述される。具体的には、遷移先の情報グループの情報コード（ＩＤ＝０２に記述されている）からなる次再生情報コード１〜８が記述される。
この次再生情報コードには、ツリー構造の下位階層にある情報グループに遷移するための情報コードだけでなく、同位階層または上位階層にある情報グループに遷移するための情報コードが記述される場合もある。例えば、図６における情報グループ２では、次再生情報コードとして同位階層である情報グループ７，８の情報コードが記述される。また、情報グループ２０では、次再生情報コードとして上位階層である情報グループ３の情報コードが記述される。
【００４８】
ＩＤ＝４０には、複数の情報グループの中から所望の情報グループを検索するための詳細情報が記述される。具体的には、当該情報グループが提供するサービス内容を利用者が理解するためのキーワード等の詳細情報表示テキストが記述される。例えば、当該情報グループが、利用者にとって有用なサービスを提供するためのサービス情報（例えば、クーポン情報、バーゲン情報）である場合には、このＩＤ＝４０にクーポン情報やバーゲン情報である旨が記述される。
【００４９】
図７に示す情報グループの構成要素において、ＩＤ＝００、０１、０２、０３、０４、０５、１０は必須要素であり、情報グループには原則としてこれらの要素が含まれる。
【００５０】
本実施形態に係る車載器５において、センター装置１から配信された複数の情報グループを受信すると、カーナビ部５４の記憶部５４６には、情報グループ毎にそれぞれ図７に示す構成で情報が記憶され、蓄積されることとなる。なお、記憶部５４６に記憶される情報グループは、ＩＤ＝０３で“蓄積コード”が設定されている情報グループである。
そして、利用者によって情報グループの再生操作が行われると、記憶部５４６に記憶されている情報グループのうち選択された情報グループが再生される。このとき、情報グループのＩＤ＝３０に次再生情報コード１〜８が記述されていれば、当該情報グループの再生画面上に、再生遷移用の１〜８の番号の付いた遷移先ボタン（ソフトキー）が表示される。
利用者によって遷移先ボタンが操作されると、操作されたボタン番号に対応する次再生情報コード（遷移先の情報コード）で指定される情報グループを参照し、この情報グループの再生画面を表示する。以下の説明において、情報グループの再生画面を遷移させることを、単に再生遷移と称することもある。
【００５１】
すなわち、車載器５の制御部５１，カーナビ制御部５４１（制御部）は、出力部５４５のディスプレイ（表示部）に情報グループ（第１コンテンツ）の再生画面を表示させるとともに、操作部５４４から遷移先ボタンに対応する再生遷移を指示する操作信号が入力されたときに、当該情報グループの遷移先となる情報グループ（第２コンテンツ）の再生画面を出力部５４５のディスプレイに表示させる。
【００５２】
このように、情報グループが有している情報を利用することで、具体的にはＩＤ＝３０に記述された次再生情報コードを利用することで、遷移先として予め指定されている情報グループに再生画面を遷移させることができる。
例えば、図６に示す情報グループ２が再生されている場合、情報グループ２のＩＤ＝３０には次再生情報コードとして情報グループ９，１１の情報コードが記述されているので、これらに対応する遷移先ボタンが表示される。そして、この遷移先ボタンが操作されると次再生コードで指定される情報グループに再生遷移する。しかしながら、遷移元となる情報グループ１に再生遷移することはできない。
そこで、本実施形態では、再生中の情報グループの画面から、当該情報グループの遷移元となる情報グループの再生画面に遷移できるようにしている。
【００５３】
具体的には、本実施形態の車載器５では、再生中の情報グループの画面から、当該情報グループの遷移元となる情報グループ（上位階層の情報グループに限らない）の再生画面に遷移するために、予め画面遷移テーブルを作成して記憶部５４６に記憶しておく。この画面遷移テーブルには、記憶部５４６に記憶されている情報グループごとにレコードが生成され、このレコード内に遷移元である情報グループの情報コードが遷移元情報として登録される。ここで、レコードとは、画面遷移テーブルの中のある一つの情報グループに関する情報を意味し、例えば後述する図８における一行に該当する。
そして、情報グループの再生時に、遷移元となる情報グループに遷移するための操作ボタン（以下、遷移元ボタンと称する）を再生画面上に表示する。利用者によって遷移元ボタンが操作されると、画面遷移テーブルの遷移元情報に登録されている情報コードに従って、対応する情報グループを再生する。
【００５４】
すなわち、車載器５の制御部５１，カーナビ制御部５４１（制御部）は、出力部５４５のディスプレイ（表示部）に情報グループ（第１コンテンツ）の再生画面を表示させるとともに、操作部５４４から遷移元ボタンに対応する再生遷移を指示する操作信号が入力されたときに、当該情報グループの遷移元となりうる情報グループ（第３コンテンツ）の再生画面を出力部５４５のディスプレイに表示させる。
【００５５】
また、再生中の情報グループの遷移元となる情報グループの情報コードが、次再生情報コードとして再生中の情報グループのＩＤ＝３０に記述されている場合には、一つの情報グループが遷移元かつ遷移先となるので、このような場合に柔軟に対応できるようにしている。
例えば、図６に示す情報グループ２０が再生されている場合、情報グループ３は情報グループ２０に対して遷移元かつ遷移先となるので、単純に画面遷移テーブルの遷移元情報に基づいて遷移元ボタンが表示されると、情報グループ３に再生遷移するための操作ボタンとして、遷移先ボタンと遷移元ボタンの２つが表示されてしまうこととなる。
すなわち、何れの操作ボタンを操作しても情報グループ２の再生画面に遷移するにも関わらず、異なる操作ボタンが表示されることとなり、利用者を混乱させてしまう虞がある。
そこで、本実施形態では、再生中の情報グループの画面において、当該情報グループの遷移元の情報グループが遷移先として登録されている（例えば、再生中の情報グループの次再生情報コードに含まれている）場合には、遷移元ボタンを表示しないようにしている。
【００５６】
このように、本実施形態に係る車載器５によれば、情報グループごとに遷移元情報を登録しておくことにより、再生中の情報グループの画面から遷移元となりうる情報グループの再生画面に遷移させることができるので、遷移元の情報グループに再生遷移するのに面倒な操作は必要なく、利便性が向上する。
また、再生中の情報グループに対して遷移元となる情報グループが遷移先として登録されている場合には、当該情報グループについては遷移先ボタンだけを表示させるので、一つの情報グループに遷移するための操作ボタンが複数（遷移先ボタンと遷移元ボタン）表示されることはなく、利用者が混乱するのを防止することができる。
【００５７】
以下に、本実施形態に係る車載器５において実行される処理（受信処理、表示制御処理）について、具体的に説明する。
（第１実施形態）
図８は、第１実施形態に係る画面遷移テーブルＴ１の構成例を示す説明図である。ここで、センター装置１から配信されるコンテンツは図６に示すツリー構造を有するものとする。
図８に示すように、画面遷移テーブルＴ１に登録される情報グループには登録番号１，２，・・が付与され、情報グループごとに情報提供企業コード、情報コード、情報提供企業表示テキスト、情報表示テキスト、遷移元情報が登録される。
第１実施形態では、画面遷移テーブルＴ１において、それぞれの情報グループのレコードには、遷移元情報として一つの情報グループの情報コードだけを登録する。つまり、情報グループの再生画面において、遷移元ボタンが操作されたときに再生遷移する情報グループは一つに決まっている。
【００５８】
図８に示す画面遷移テーブルＴ１において、登録番号ｎの情報グループを情報グループｎと称する。なお、画面遷移テーブルＴ１に登録しておく情報は図８に示すものに限定されず、少なくとも情報グループを識別するための情報（例えば、情報コード）と、当該情報グループの遷移元となる情報グループを示す遷移元情報が含まれるようにすればよい。
図８では、それぞれの情報グループの内容をわかりやすくするために、情報提供企業表示テキストや情報表示テキストを登録した画面遷移テーブルを示している。
【００５９】
図８において、例えば情報グループ１については、情報提供企業コードが“０００００１”、情報コードが“０００００１”、情報提供企業表示テキストが“△△△センター”、情報表示テキストが“△△△センター”、遷移元情報が“なし”であることが登録されている。情報グループ１は最上位階層の情報グループ（いわゆるトップページ）であるため、遷移元情報は“なし”となっている。
また、例えば情報グループ３については、情報提供企業コードが“０００００２”、情報コードが“０００００３”、情報提供企業表示テキストが“○□△”、情報表示テキストが“○□△ＳＣ○○店”、遷移元情報が“０００００１”（情報グループ１）であることが登録されている。
また、例えば情報グループ４については、情報提供企業コードが“０００００２”、情報コードが“０００００４”、情報提供企業表示テキストが“○□△”、情報表示テキストが“○□△ＳＣ○○店  ランチクーポン”、遷移元情報が“０００００３”（情報グループ３）であることが登録されている。
【００６０】
ここで、情報提供企業コード、情報コード、情報提供企業表示テキスト、情報表示テキストは、後述する図９のステップＳ１０７において登録される。また、遷移元情報は図９のステップＳ１０９（詳細には図１０，１１）で登録される。ある情報グループについて、ＩＤ＝３０（遷移情報）に次再生情報コードが記述されていれば、この次再生情報コード（情報グループの情報コード）で指定される情報グループについては遷移元情報が登録されることとなる。
【００６１】
つまり、図８では、情報グループ２，３，５，７，８は、情報グループ１を遷移元とする（すなわち、情報グループ１のＩＤ＝３０に次再生情報コードとして情報グループ２，３，５，７，８の情報コードが記述されている）ことが示されている。なお、後述するように、遷移元となりうる情報グループが複数ある場合（例えば、情報グループ３，７，８）には、予め設定されたルールに従って遷移元情報は登録される。
【００６２】
図９は、第１実施形態に係る受信処理（受信処理１）の一例について示すフローチャートである。この受信処理は、例えば、車両（車載器５）が路側無線装置２の路側エリアＺに進入してＤＳＲＣ通信が開始されたときに、ＣＰＵ５１１がＲＯＭ５１２内の受信処理プログラムを実行することにより実現される。
【００６３】
ステップＳ１０１では、車載器５が路側無線装置２の路側エリアＺ内にある（エリアイン中）か、すなわち、車載器５と路側無線装置２とが通信状態にあるか否かを判定する。そして、エリアイン中と判定した場合はステップＳ１０２に移行し、エリアイン中でないと判定した場合はステップＳ１０９に移行する。
ステップＳ１０２では、路側無線装置２から送信される複数の情報グループのうち、一つの情報グループの受信が完了したか否かを判定し、情報グループの受信が完了するとステップＳ１０３に移行する。つまり、一つの情報グループが完了するごとに、当該情報グループの再生／保存処理、画面遷移テーブルへの登録処理が行われる。
【００６４】
ステップＳ１０３では、受信した情報グループがＩＤ＝０１，０２，０３で規定される情報（事業者に関する情報、コンテンツに関する情報）を含むか否かを判定する。例えば、情報グループのＩＤ＝００には、情報グループの構成要素のＩＤ一覧が記述されているので、ＩＤ＝００にＩＤ＝０１，０２，０３が記述されているかに基づいて判定する。
そして、ＩＤ＝０１，０２，０３で規定される情報を含むと判定した場合は、正常に受信完了したものと判断し、ステップＳ１０４に移行する。一方、ＩＤ＝０１，０２，０３で規定される情報を含んでいないと判定した場合は、当該情報グループについては正常に受信できていないものと判断し、ステップＳ１０１に移行する。つまり、この情報グループについては車載器５において再生も保存もされないし、画面遷移テーブルにも登録されない。
【００６５】
ステップＳ１０４では、受信した情報グループ内のＩＤ＝０３に記述されている即時再生／蓄積コードを参照する。
ステップＳ１０５では、ＩＤ＝０３に記述されている即時再生／蓄積コードが蓄積を示すコードであるか否かを判定する。そして、蓄積を示すコードであると判定した場合はステップＳ１０６に移行し、蓄積を示すコードでないと判定した場合（即時再生を示すコードの場合）は、ステップＳ１０１に移行する。つまり、即時再生する情報グループについては、受信完了後、カーナビ部５４においてそのまま再生され、記憶部５４６には保存されない。また、画面遷移テーブルＴ１（図８参照）にも登録されない。
【００６６】
ステップＳ１０６では、受信した情報グループを記憶部５４６に保存する。
ステップＳ１０７では、画面遷移テーブルに遷移元情報以外の情報を登録する。つまり、図８に示す画面遷移テーブルＴ１の場合、受信した情報グループ内のＩＤ＝０２に記述されている情報提供企業コード、情報提供企業表示テキスト、情報コード、情報表示テキストが抽出され、登録される。
ステップＳ１０８では、路側無線装置２から送信されるすべての情報グループについて受信が完了したか否かを判定する。そして、すべての情報グループについて受信が完了したと判定した場合はステップＳ１０９に移行し、受信が完了していないと判定した場合はステップＳ１０１に移行して次の情報グループを受信する。
【００６７】
ステップＳ１０９では、受信したすべての情報グループについて遷移元情報確認処理を行う。つまり、すべての情報グループを受信したとき（ステップＳ１０８で“ＹＥＳ”）、又は、車載器５が路側無線装置２の路側エリアＺ外となったとき（ステップＳ１０１で“ＮＯ”）に、遷移元情報確認処理が行われる。なお、車載器５が路側無線装置２の路側エリアＺ外となった場合は、それまでに受信した情報グループについて遷移元情報確認処理を行うこととなる。
この遷移元情報確認処理により、画面遷移テーブルＴ１に登録されたすべての情報グループについて、遷移元情報が登録／未登録されると、受信処理を終了する。
【００６８】
図１０は、遷移元情報確認処理１（図９のステップＳ１０９）の一例について示すフローチャートである。図１０では、図９のステップＳ１０７で画面遷移テーブルＴ１に登録した情報グループを“Ｉ”、情報グループＩの遷移先となる情報グループを“Ｙ”としている。また、画面遷移テーブルＴ１における情報グループＩのレコードをレコードＩ、情報グループＹのレコードをレコードＹとしている。つまり、情報グループＩは情報グループＹの遷移元となりうる情報グループである。
【００６９】
ステップＳ１１１では、画面遷移テーブルＴ１において先頭のレコードに登録されている情報グループＩを参照する。情報グループの参照とは、記憶部５４６に記憶されている情報グループの実データを参照することである。
ステップＳ１１２では、参照中の情報グループＩはＩＤ＝３０で規定される情報（遷移情報）を含むか、つまり、情報グループＩが当該情報グループＩから遷移可能な情報グループを有するか否かを判定する。例えば、情報グループＩのＩＤ＝００にＩＤ＝３０が記述されているかに基づいて判定する。
そして、遷移情報を含むと判定した場合はステップＳ１１３に移行する。一方、情報グループＩが遷移情報を含まないと判定した場合（例えば、情報グループＩが最下位階層の情報グループの場合）はステップＳ１１９に移行する。遷移情報を有していない情報グループは他の情報グループの遷移元となり得ないためである。
【００７０】
ステップＳ１１３では、情報グループＩ内のＩＤ＝３０に記述されている次再生情報コードを参照する。
ステップＳ１１４では、ＩＤ＝３０に具体的な次再生情報コードが記述されているか否かを判定する。情報グループＩのＩＤ＝００内にＩＤ＝３０があったとしても（ステップＳ１１２で“ＹＥＳ”）、実際にはＩＤ＝３０に次再生情報コード（実データ）が記述されていない可能性があるので、ＩＤ＝３０に次再生情報コードが実際に記述されているか否かを判定する。そして、情報グループＩのＩＤ＝３０に次再生情報コードが記述されていると判定した場合はステップＳ１１５に移行し、次再生情報コードが記述されていないと判定した場合はステップＳ１１９に移行する。
ステップＳ１１５では、情報グループＩのＩＤ＝３０に記述されている先頭の次再生情報コードで指定される情報グループＹのレコードＹを、画面遷移テーブルＴ１から検索する。
【００７１】
ステップＳ１１６では、情報グループＩの情報コードを、その遷移先となる情報グループＹのレコードＹに、遷移元情報として登録するための遷移元情報登録処理を行う。
この遷移元情報登録処理は、図１１に示すフローチャートに従って行われる。
図１１は、遷移元情報登録処理１の一例について示すフローチャートである。
ステップＳ１３１では、画面遷移テーブルＴ１の中から情報グループＹのレコードＹを参照し、レコードＹの遷移元情報に情報コードが既に登録されているか否かを判定する。そして、レコードＹの遷移元情報に情報コードが登録されていないと判定した場合はステップＳ１３３に移行し、情報コードが登録されていると判定した場合はステップＳ１３２に移行する。
ステップＳ１３２では、情報グループＩを情報グループＹの遷移元として登録するか否かを判定する。例えば、図１２に示す優先ルールに従って、先に登録された情報グループと情報グループＩの何れを遷移元として登録するか判断する。
【００７２】
図１２は、第１実施形態において遷移元情報を登録する際の優先ルールの一例について示す説明図である。
図１２に示すように、優先ルールとしては、受信時刻が早い／遅い方の情報グループを優先して遷移元とする（ルール１，２）、情報コードが大きい／小さい方の情報グループを優先して遷移元とする（ルール３，４）、情報提供企業コードが大きい／小さい方の情報グループを優先して遷移元とする（ルール５，６）等がある。
なお、情報提供企業コードが大きい／小さい方の情報グループを優先して遷移元とするルール（ルール５，６）の場合、情報提供企業コードが同じとなる可能性もある。このような場合は、さらに受信時刻を比較して受信時刻が早い／遅い方の情報グループを優先して遷移元とする（ルール７〜１０）、又は、情報コードを比較して情報コードが大きい／小さい方の情報グループを優先して遷移元とする（ルール１１〜１４）。
第１実施形態では、情報グループの遷移元情報を一つだけ登録するようにしているので、図１２に示すような優先ルールを予め設定しておく必要がある。
【００７３】
図１１のステップＳ１３２において、情報グループＩを情報グループＹの遷移元として登録すると判定した場合はステップＳ１３３に移行し、遷移元として登録しないと判定した場合は遷移元情報登録処理１を終了する。
ステップＳ１３３では、レコードＹの遷移元情報として情報グループＩの情報コードを登録し、遷移元情報登録処理１を終了する。
この遷移元情報登録処理１により、画面遷移テーブルＴ１のレコードＹの遷移元情報に、情報グループＩの情報コードが登録／非登録される。遷移元情報登録処理１を終了すると、図１０のフローチャートに復帰する。
【００７４】
図１０のステップＳ１１７では、情報グループＩのＩＤ＝３０に他の次再生情報コードが記述されているか否かを判定する。そして、情報グループＩのＩＤ＝３０に他の次再生情報コードが記述されていると判定した場合はステップＳ１１８に移行し、他の次再生情報コードが記述されていないと判定した場合はステップＳ１１９に移行する。
ステップＳ１１８では、情報グループＩのＩＤ＝３０に記述されている次の次再生情報コードで指定される情報グループＹのレコードＹを画面遷移テーブルＴ１から検索し、ステップＳ１１６以降の処理を行う。
ステップＳ１１６〜Ｓ１１８を繰り返すことにより、情報グループＩが遷移元となりうるすべての情報グループＹについて、そのレコードＹの遷移元情報に情報グループＩの情報コードが登録／非登録されることとなる。
【００７５】
ステップＳ１１９では、画面遷移テーブルＴ１に他の情報グループのレコードがあるか否か、すなわち、ステップＳ１１２以降の処理を受けていない情報グループのレコードがあるか否かを判定する。そして、他の情報グループのレコードがあると判定した場合はステップＳ１２０に移行し、他の情報グループのレコードがないと判定した場合は遷移元情報確認処理１を終了する。
ステップＳ１２０では、画面遷移テーブルＴ１において次のレコードに登録されている情報グループＩを参照し、ステップＳ１１２以降の処理を行う。
【００７６】
図９〜１１に示す処理により、すべての情報グループについて、当該情報グループの再生画面から遷移元となる情報グループの再生画面に遷移するための遷移元情報が登録された画面遷移テーブルＴ１が作成される。なお、ツリー構造の最上位階層の情報グループ（例えば、図６の情報グループ１）については、遷移元情報は登録されない。
【００７７】
このように、第１実施形態では、一つの情報グループＹに対して遷移元となりうる複数の情報グループＩがある場合、複数の情報グループＩの中から所定の条件（例えば、図１２の優先ルール）に従って優先される一つの情報グループＩを選択して、情報グループＹの遷移元として登録する。そして、情報グループＹの再生画面では、遷移元として設定された情報グループＩに遷移するための遷移元ボタンが表示されることとなる。
【００７８】
図１３は、表示制御処理の一例について示すフローチャートである。この情報グループ表示制御処理は、例えば、利用者が操作部５４４により情報グループの再生を指示したときに、ＣＰＵ５１１がＲＯＭ５１２内の表示制御処理プログラムを実行することにより実現される。
図１３のステップＳ２０１では、利用者の操作により再生指示された情報グループを参照する。
ステップＳ２０２では、参照した情報グループの再生処理を行う。この再生処理は、後述する図１４に示すフローチャートに従って行われる。
ステップＳ２０３では、ステップＳ２０２の再生処理により出力部５４５のディスプレイに表示された再生画面において、再生画面を遷移するための画面遷移処理を行う。この画面遷移処理は、後述する図１５に示すフローチャートに従って行われる。
ステップＳ２０４では、利用者により情報グループの再生終了を指示する操作がなされたか否かを判定する。そして、再生終了を指示されたと判定した場合はステップＳ２０５に移行し、再生終了を指示されていないと判定した場合はステップＳ２０３に移行する。
ステップＳ２０５では、再生中の表示を消去し、表示制御処理を終了する。
【００７９】
図１４は、第１実施形態に係る再生処理１の一例について示すフローチャートである。
ステップＳ２１１では、図１３のステップＳ２０１で参照した情報グループを再生する。具体的には、参照した情報グループに含まれる情報（例えば、ＩＤ＝０１の情報提供企業表示テキストや情報表示テキスト、ＩＤ＝３０の次再生情報コード、ＩＤ＝１０の対象地点表示テキスト、画像データ等）を解析して画面データを生成し、出力部５４５のディスプレイに当該情報グループの詳細を示す再生画面を表示する。
このとき、例えば、参照した情報グループのＩＤ＝３０に次再生情報コード１〜８が記述されていれば、当該情報グループの再生画面上には、画面遷移用の１〜８の番号の付いた遷移先ボタン（ソフトキー）が表示される。
【００８０】
ステップＳ２１２では、画面遷移テーブルＴ１の中から再生指示された情報グループのレコードを参照し、当該情報グループの遷移元情報が登録されているか否かを判定する。一般に、再生指示された情報グループが、ツリー構造の最上位階層の情報グループ以外であれば、遷移元情報は登録されている。そして、遷移元情報が登録されていると判定した場合はステップＳ２１３に移行し、遷移元情報が登録されていないと判定した場合は再生処理１を終了する。
【００８１】
ステップＳ２１３では、画面遷移テーブルＴ１に登録されている遷移元情報が、当該情報グループのＩＤ＝３０に記述された次再生情報コードと一致するか否かを判定する。そして、遷移元情報が次再生情報コードと一致しないと判定した場合はステップＳ２１４に移行し、一致すると判定した場合は再生処理１を終了する。
【００８２】
ステップＳ２１４では、遷移元として登録されている情報グループの再生画面に遷移するための遷移元ボタンを表示する。
なお、遷移元ボタンの表示は、必ずしも図１４に示すフローチャート通りとは限らず、遷移先ボタンの表示と同じタイミング（ステップＳ２１１）でも構わない。例えば、図１４において、ステップＳ２１２の処理から開始されるようにし、ステップＳ２１３で“ＮＯ”と判定したときに、ステップＳ２１４で遷移元ボタンの表示と情報グループの再生（遷移先ボタンの表示）を同時に行う一方、ステップＳ２１２で“ＮＯ”と判定したとき、及びステップＳ２１３で“ＹＥＳ”と判定したときは、各処理の後に情報グループの再生（遷移先ボタンを表示）を行うようにする。
【００８３】
図１８は、第１実施形態に係る情報グループの再生画面の一例を示す説明図であり、図８における情報グループ３の再生画面を示している。
利用者の操作によって情報グループ３の再生が指示されると、情報コード“０００００３”で指定される情報グループ３が再生される（図１４のステップＳ２１１）。図６に示すように、情報グループ３のＩＤ＝３０には、次再生情報コードとして３つの情報グループ４，１０，２０（情報表示テキストが「お得なクーポン」「デザートメニュー」「フロアガイド」）の情報コードが記述されているため、この情報グループを再生させるための遷移先ボタンＢ１，Ｂ２，Ｂ３が表示されている。
【００８４】
また、画面遷移テーブルＴ１における情報グループ３のレコードには、遷移元情報として情報コード“０００００１”で指定される情報グループ１が登録されており（ステップＳ２１２で“ＹＥＳ”）、この情報グループ１は情報グループ３の次再生情報コードと一致しない（ステップＳ２１３で“ＮＯ”）ので、再生画面の右下領域に遷移元ボタンＢ４（図１８では「戻る」と表示）が表示されている。
【００８５】
図１９は、第１実施形態に係る情報グループの再生画面の他の一例を示す説明図であり、図８における情報グループ４の再生画面を示している。
利用者の操作によって情報グループ４の再生が指示（例えば、図１８に示す再生画面で遷移先ボタンＢ１が操作）されると、情報コード“０００００４”で指定される情報グループ４が再生される（図１４のステップＳ２１１）。図６に示すように、情報グループ４は最下位階層であり、ＩＤ＝３０で規定される遷移情報を有していないため、遷移先ボタンは表示されない。また、情報グループ４のＩＤ＝１０には、対象地点に関する情報としてＵＲＬ情報が記述されているため、ネットワークに接続するためのボタンＢ５が表示されている。ネットワーク接続ボタンＢ５が操作されると、カーナビ部５４のネットワーク接続部５４７によりインターネットへの接続処理が実行される。そして、接続が確立されるとＵＲＬ情報で指定されたサイトが、ウェブブラウザ等のアプリケーションソフトにより表示される。
【００８６】
また、画面遷移テーブルＴ１における情報グループ４のレコードには、遷移元情報として情報コード“０００００３”で指定される情報グループ３が登録されており（ステップＳ２１２で“ＹＥＳ”）、この情報グループ３は情報グループ４の次再生情報コードと一致しない（ステップＳ２１３で“ＮＯ”）ので、再生画面の右下領域に遷移元ボタンＢ４（図１９では「戻る」と表示）が表示されている。
【００８７】
図２０は、第１実施形態に係る情報グループの再生画面の他の一例を示す説明図であり、図８における情報グループ２０の再生画面を示している。
利用者の操作によって情報グループ２０の再生が指示（例えば、図１８に示す再生画面で遷移先ボタンＢ３が操作）されると、情報コード“００００２０”で指定される情報グループ２０が再生される（図１４のステップＳ２１１）。図６に示すように、情報グループ２０のＩＤ＝３０には、次再生情報コードとして６つの情報グループ２１〜２５，３（情報表示テキストが「ファッション」「バラエティ＆雑貨」「喫茶＆レストラン」「食品」「サービス」「○□△ＳＣ○○店」）の情報コードが記述されているため、この情報グループを再生させるための遷移先ボタンＢ６〜Ｂ１１が表示されている。
なお、情報グループ２０のＩＤ＝３０において、次再生情報コード６，７には何れの情報グループも登録されていないために、これらに対応する遷移先ボタンは表示されていない。
【００８８】
また、画面遷移テーブルＴ１における情報グループ２０のレコードには、遷移元情報として情報コード“０００００３”で指定される情報グループ３が登録されているが（ステップＳ２１２で“ＹＥＳ”）、この情報グループ３は情報グループ２０の次再生情報コードと一致するので（ステップＳ２１３で“ＹＥＳ”）、再生画面には遷移元ボタンは表示されない。
【００８９】
図１４に示す再生処理１が実行されると、出力部５４５のディスプレイには、例えば、図１８〜２０に示す再生画面が表示される。そして、図１８〜２０に示す再生画面において、利用者は、遷移先ボタンＢ１〜Ｂ３，Ｂ６〜Ｂ１１又は遷移元ボタンＢ４を操作することにより、情報グループの再生遷移を行うこととなる。
【００９０】
図１５は、画面遷移処理の一例について示すフローチャートである。図１３に示すように、この画面遷移処理は、情報グループの再生画面が表示された後に実行される。
ステップＳ２２１では、利用者により遷移先ボタン（図１８のボタンＢ１〜Ｂ３）が操作されたか否かを判定する。そして、遷移先ボタンが操作されたと判定した場合はステップＳ２２３に移行して通常遷移処理を行う。
【００９１】
ステップＳ２２３の通常遷移処理は、図１６のフローチャートに従って行われる。
図１６において、ステップＳ２３１では、操作されたボタン番号に対応する情報グループを参照する。
ステップＳ２３２では、図１４に示す再生処理１を行う。すなわち、ステップＳ２３１で参照した情報グループを再生するとともに、遷移元ボタンを表示する。例えば、図１８に示す再生画面おいて、利用者によって遷移先ボタンＢ１の操作がなされると「お得なクーポン」の情報グループ４が再生され、図１９に示す再生画面が表示されることとなる。
ただし、画面遷移テーブルＴ１において、遷移後の情報グループのレコードに登録されている遷移元情報と次再生情報コードが一致している場合には遷移元ボタンは表示されない。例えば、図１８に示す再生画面において、利用者によって遷移先ボタンＢ３の操作がなされると「フロアガイド」の情報グループ２０が再生され、図２０に示す再生画面が表示されることとなる。
【００９２】
図１５において、ステップＳ２２１で遷移先ボタンが操作されていないと判定した場合はステップＳ２２２に移行する。
ステップＳ２２２では、利用者により遷移元ボタン（図１８のボタンＢ４）が操作されたか否かを判定する。そして、遷移元ボタンが操作されたと判定した場合はステップＳ２２４に移行して特殊遷移処理を行い、遷移元ボタンが操作されていないと判定した場合は画面遷移処理を終了する。
【００９３】
ステップＳ２２４の特殊遷移処理は、図１７のフローチャートに従って行われる。
図１７において、ステップＳ２４１では、画面遷移テーブルＴ１における再生中の情報グループのレコードに、遷移元として登録されている情報グループを参照する。
ステップＳ２４２では、図１４に示す再生処理１を行う。すなわち、ステップＳ２４１で参照した情報グループを再生するとともに、遷移元ボタンを表示する。ただし、画面遷移テーブルＴ１において、遷移後の情報グループのレコードに登録されている遷移元情報と次再生情報コードが一致している場合には遷移元ボタンは表示されない。
【００９４】
例えば、図１８に示す再生画面において、遷移元ボタンＢ４の操作がなされると、遷移元として登録されている情報グループ１が再生される。また例えば、図１９に示す再生画面において、遷移元ボタンＢ４の操作がなされると、遷移元として登録されている情報グループ３が再生される。
【００９５】
上述したように、第１実施形態においては、図１３〜図１７のフローチャートに従って、情報グループの表示制御処理が行われる。
第１実施形態では、画面遷移テーブルＴ１における各情報グループのレコードに遷移元として登録される情報グループは一つとなるので、一つの遷移元ボタン（図１８，１９のボタンＢ４）の操作という極めて簡単な操作により、遷移元である情報グループに再生遷移することができる。また、遷移元として登録される情報グループは、優先ルールに従って決定されるので、遷移元ボタンの操作がなされたときに、利用者が所望する情報グループとかけ離れた情報グループが再生される虞は少ない。
【００９６】
また、情報グループの再生画面を表示させるときに、画面遷移テーブルＴ１の中から再生指示された情報グループのレコードを参照し、このレコードに遷移元として登録されている情報グループが遷移先となる情報グループと一致するか否かを判定している。そして、遷移元として登録された情報グループであっても、遷移先として登録されている場合には、この遷移元の情報グループに対応する遷移元ボタンを表示しないようにしている。つまり、再生中の情報グループに対して遷移元となる情報グループが、遷移先となる情報グループと異なる場合に、遷移元となる情報グループに遷移するための遷移元ボタンが表示される。
これにより、一つの情報グループに遷移するための操作ボタンが複数（遷移先ボタンと遷移元ボタン）表示されることはないので、利用者が混乱するのを防止できる。
【００９７】
（第２実施形態）
第２実施形態では、画面遷移テーブルにおける各情報グループのレコードに、遷移元として複数の情報グループを登録できるようにしている点が、第１実施形態と異なる。なお、以下において前述の実施形態と同様の説明については省略する。
図２１は、第２実施形態に係る画面遷移テーブルＴ２の構成例を示す説明図である。ここで、センター装置１から配信されるコンテンツは図６に示すツリー構造を有するものとする。
図２１に示すように、画面遷移テーブルＴ２に登録される情報グループには登録番号１，２，・・が付与され、情報グループごとに情報提供企業コード、情報コード、情報提供企業表示テキスト、情報表示テキスト、遷移元情報１、遷移元情報１の情報表示テキスト、遷移元情報２、遷移元情報２の情報表示テキスト、・・が登録される。
【００９８】
第２実施形態では、情報グループの再生画面において遷移元ボタンを複数表示するので、それぞれの遷移元ボタンの操作がなされることにより再生遷移する情報グループを利用者が認識できるようにすることが望ましい。そのため、図２１に示す画面遷移テーブルＴ２には、遷移元情報１，２の情報表示用テキストが登録され、再生画面上に表示する遷移元ボタンにこの情報表示テキストを付加できるようにしている。
【００９９】
図２１において、例えば情報グループ１のレコードでは、遷移元情報１，２が“なし”であることが登録されている。
また、例えば情報グループ７のレコードでは、遷移元情報１が“０００００１”（情報グループ１）、遷移元情報１の情報表示テキストが“△△△センター”、遷移元情報２が“０００００２”（情報グループ２）、遷移元情報２の情報表示テキストが“お食事情報”であることが登録されている。
【０１００】
ここで、遷移元情報以外の情報は、第１実施形態で説明した図９のステップＳ１０７において登録される。また、遷移元情報は図９のステップＳ１０９（詳細には図１０，１１）で登録される。
【０１０１】
第２実施形態に係る受信処理は、第１実施形態で説明した処理（図９〜１１）とほぼ同様に行われる。第１実施形態では、図１１に示す遷移元情報登録処理１において、情報グループの遷移元となりうる情報グループが複数ある場合、優先ルールに従って一つの情報グループを遷移元として登録する。これに対して、第２実施形態では、情報グループの遷移元となりうるすべての情報グループを遷移元として登録する。
すなわち、図１１において、ステップＳ１３１，Ｓ１３２の処理は省略され、画面遷移テーブルＴ２における情報グループＹのレコードには、遷移元として情報グループＩがすべて追加登録されることとなる。このとき、遷移元情報として情報コードを登録するだけでなく、情報コードに対応する情報表示テキストも登録される。そして、情報グループＹの再生画面では、遷移元として登録された複数の情報グループＩのそれぞれに遷移するための遷移元ボタンが表示されることとなる。
【０１０２】
第２実施形態に係る表示制御処理は、図１３のフローチャートに従って行われる。ただし、ステップＳ２０２の再生処理は図２２に示すフローチャートに従って行われ、ステップＳ２０３の画面遷移処理内で実行される特殊遷移処理は図２３に示すフローチャートに従って行われる。
【０１０３】
図２２は、第２実施形態に係る再生処理２の一例について示すフローチャートである。
ステップＳ２５１では、図１３のステップＳ２０１で参照した情報グループを再生する。このとき、例えば参照した情報グループのＩＤ＝３０に次再生情報コード１〜８が記述されていれば、当該情報グループの再生画面上には、画面遷移用の１〜８の番号の付いた遷移先ボタン（ソフトキー）が表示される。
【０１０４】
ステップＳ２５２では、画面遷移テーブルＴ２の中から再生指示された情報グループのレコードを参照し、当該情報グループの遷移元情報が登録されているか否かを判定する。そして、遷移元情報が登録されていると判定した場合はステップＳ２５３に移行し、遷移元情報が登録されていないと判定した場合は再生処理２を終了する。
ステップＳ２５３では、画面遷移テーブルＴ２における再生指示された情報グループのレコードに、何番目に登録された遷移元情報であるかを示す値ｎに“１”を設定する（ｎ＝１）。
【０１０５】
ステップＳ２５４では、ｎ番目の遷移元情報が、当該情報グループのＩＤ＝３０に記述された次再生情報コードと一致するか否かを判定する。そして、ｎ番目の遷移元情報が次再生情報コードと一致しないと判定した場合はステップＳ２５５に移行し、一致すると判定した場合はステップＳ２５６に移行する。
ステップＳ２５５では、遷移元の情報グループに遷移するための遷移元ボタンを表示する。このとき、遷移元ボタンには、画面遷移テーブルＴ２における当該情報グループのレコードに登録されている遷移元情報の情報表示テキストが表示される。または、遷移元ボタンとして、数字の付いた遷移元ボタン（数字ボタン）を表示し、それぞれの数字ボタンに対応して遷移元情報の情報表示テキストを重畳表示するようにしてもよい。
【０１０６】
ステップＳ２５６では、画面遷移テーブルＴ２における当該情報グループのレコードに、他の遷移元情報が登録されているか否かを判定する。そして、他の遷移元情報が登録されていると判定した場合はステップＳ２５７に移行し、登録されていないと判定した場合は再生処理２を終了する。
ステップＳ２５７ではｎに１加算し（ｎ＝ｎ＋１）、ステップＳ２５４以降の処理を繰り返す。つまり、当該情報グループのレコードに２番目以降に登録された遷移元情報について、遷移元ボタンの表示／非表示がなされる。
【０１０７】
図２４は、第２実施形態に係る情報グループの再生画面の一例を示す説明図であり、図２１における情報グループ８の再生画面を示している。
利用者の操作によって情報グループ８の再生が指示されると、情報コード“０００００８”で指定される情報グループ８が再生される（図２２のステップＳ２５１）。図６に示すように、情報グループ８はＩＤ＝３０で規定される遷移情報を有していないため、遷移先ボタンは表示されない。
【０１０８】
また、画面遷移テーブルＴ２における情報グループ８のレコードには、遷移元として情報グループ１，２が登録されており（図２２のステップＳ２５２で“ＹＥＳ”）、これらの情報グループ１，２は、情報グループ８の遷移先として登録されていないので（ステップＳ２５４で“ＮＯ”）、画面下領域に情報グループ１に再生遷移するための遷移元ボタンＢ１２と、情報グループ２に再生遷移するための遷移ボタンＢ１３が表示されている。
ここで、情報グループ８の遷移先として情報グループ１または２が登録されていれば（ステップＳ２５４で“ＹＥＳ”）、この情報グループ１または２に遷移するための操作ボタンとしては遷移先ボタンが表示され、遷移元ボタンは表示されないこととなる。
【０１０９】
なお、図２４では、遷移元ボタンＢ１２，Ｂ１３を表示するための領域として画面下領域を使用しているが、遷移元ボタンの表示態様はこれに限定されない。例えば、遷移元ボタンを表示するための専用領域を確保する、すなわち、画面全体を情報グループの内容を表示する領域と遷移元ボタンを表示するための領域に分割して使用するようにしてもよいし、情報グループの内容を画面全体に表示し、遷移元ボタンはこれに重畳させる形態で表示するようにしてもよい。
【０１１０】
図２２に示す再生処理２が実行されると、出力部５４５のディスプレイには、例えば、図２４に示す再生画面が表示される。そして、図２４に示す再生画面において、利用者は、遷移元ボタンＢ１２，Ｂ１３のいずれかを操作することにより、情報グループの再生遷移を行うこととなる。
【０１１１】
第２実施形態では、画面遷移処理は図１５のフローチャートに従って行われるが、図１５におけるステップＳ２２４の特殊遷移処理は図２３のフローチャートに従って行われる。
図２３において、ステップＳ２６１では、操作された遷移元ボタンに対応する情報グループを再生するために、操作された遷移元ボタンに対応する遷移元情報として登録されている情報グループを参照する。
ステップＳ２６２では、図２２に示す再生処理２を行う。すなわち、ステップＳ２６１で参照した情報グループを再生するとともに、遷移元ボタンを表示する。参照した情報グループについて、複数の遷移元情報が登録されていれば、複数の遷移元ボタンが表示される。ただし、遷移元となる情報グループが、遷移先として登録されている場合には、この情報グループについての遷移元ボタンは表示されず、遷移先ボタンだけが表示される。
【０１１２】
例えば、図２４に示す再生画面において、遷移元ボタンＢ１２が操作されると、遷移元ボタンＢ１２に対応する遷移元情報１として登録されている情報グループ１（△△△センターに関する情報）が再生される。また例えば、図２４に示す再生画面において、遷移元ボタンＢ１３が操作されると、遷移元ボタンＢ１３に対応する遷移元情報２として登録されている情報グループ２（△△△センターのお食事情報）が再生される。
【０１１３】
なお、第２実施形態では、図１５におけるステップＳ２２３の通常遷移処理は図１６のフローチャートに従って行われるが、図１６のステップＳ２３２では図２２に示す再生処理２が行われる。
【０１１４】
上述したように、第２実施形態においては、図１３，図１５，図１６，図２２，図２３のフローチャートに従って、情報グループの表示制御処理が行われる。
すなわち、第２実施形態では、一つの情報グループに対して遷移元となりうる複数の情報グループがある場合、再生中の情報グループ（第１コンテンツ）の画面において、遷移元となりうる複数の情報グループ（第３コンテンツ）のそれぞれに対応する遷移元ボタン（図２４のボタンＢ１２，Ｂ１３）が表示される。このとき、遷移元ボタンには情報表示テキストが付加される。
これにより、利用者は遷移元ボタンを操作することにより再生遷移する情報グループの内容を容易に認識することができる。また、再生遷移する情報グループを、利用者が複数の選択肢の中から決定するので、利用者は所望の情報グループに再生遷移させることができる。
【０１１５】
また、情報グループの再生画面を表示させるときに、画面遷移テーブルＴ２の中から再生指示された情報グループのレコードを参照し、このレコードに遷移元として登録されている情報グループごとに、それぞれの情報グループが遷移先となる情報グループと一致するか否かを判定している。そして、遷移元として登録された情報グループであっても、遷移先として登録されている場合には、この遷移元の情報グループに対応する遷移元ボタンを表示しないようにしている。つまり、再生中の情報グループに対して遷移元となる情報グループが、遷移先となる情報グループと異なる場合に、遷移元となる情報グループに遷移するための遷移元ボタンが表示される。
これにより、一つの情報グループに遷移するための操作ボタンが複数（遷移先ボタンと遷移元ボタン）表示されることはないので、利用者が混乱するのを防止できる。
【０１１６】
（第３実施形態）
第３実施形態では、画面遷移テーブルにおける各情報グループのレコードに、遷移元情報として複数の情報グループを登録する点は第２実施形態と同様であるが、情報グループの表示制御処理が第２実施形態と異なる。なお、以下において前述の実施形態と同様の説明については省略する。
第３実施形態に係る受信処理は、第２実施形態と全く同様に行われる。したがって、第３実施形態に係る画面遷移テーブルは、第２実施形態と同様に、図２１に示す構成となる。
【０１１７】
第３実施形態に係る表示制御処理は、第２実施形態と同様に、図１３のフローチャートに従って行われる。ただし、ステップＳ２０２の再生処理は図２５に示すフローチャートに従って行われ、ステップＳ２０３の画面遷移処理内で実行される特殊遷移処理は図２６に示すフローチャートに従って行われる。
【０１１８】
図２５は、第３実施形態に係る再生処理３の一例について示すフローチャートである。
ステップＳ２７１では、図１３のステップＳ２０１で参照した情報グループを再生する。このとき、例えば、参照した情報グループのＩＤ＝３０に次再生情報コード１〜８が記述されていれば、当該情報グループの再生画面上には、画面遷移用の１〜８の番号の付いた遷移先ボタン（ソフトキー）が表示される。
【０１１９】
ステップＳ２７２では、画面遷移テーブルＴ２の中から再生指示された情報グループのレコードを参照し、再生指示された情報グループの次再生情報コードに含まれない遷移元情報が登録されているか否かを判定する。そして、次再生情報コードに含まれない遷移元情報が登録されていると判定した場合にはステップＳ２７３に移行し、次再生情報コードに含まれない遷移元情報が登録されていないと判定した場合には再生処理３を終了する。
ステップＳ２７３では、遷移元として登録されている情報グループに遷移するための操作ボタン（戻るボタン）を表示する。なお、遷移元として複数の情報グループが登録されている場合、この戻るボタンは、遷移元として登録されている情報グループに直接遷移するための遷移元ボタンではなく、後述するリスト形式の遷移元ボタンを表示するトリガとなる操作ボタンとして機能する。
【０１２０】
図２７は、第３実施形態に係る情報グループの再生画面の一例を示す説明図であり、図２１における情報グループ８の再生画面を示している。
利用者の操作によって情報グループ８の再生が指示されると、情報コード“０００００８”で指定される情報グループ８が再生される（図２５のステップＳ２７１）。図６に示すように、情報グループ８は最下位階層であり、ＩＤ＝３０で規定される遷移情報を有していないため、遷移先ボタンは表示されない。
【０１２１】
また、画面遷移テーブルＴ２における情報グループ８のレコードには、遷移元として情報グループ１，２が登録されており、何れも情報グループ８の遷移先ではないので（図２５のステップＳ２７２で“ＹＥＳ”）、画面右下領域に戻るボタンＢ１４が表示されている。
ここで、情報グループ８の遷移先として情報グループ１または２が登録されていれば、この情報グループ１または２に遷移するための操作ボタンとして遷移先ボタンが表示される。また、情報グループ１，２の両方とも情報グループ８の遷移先として登録されていれば（ステップＳ２７２で“ＮＯ”）、戻るボタンＢ１４は表示されないこととなる。
【０１２２】
図２５に示す再生処理３が実行されると、出力部５４５のディスプレイには、例えば、図２７に示す再生画面が表示される。そして、図２７に示す再生画面において、利用者は、戻るボタンＢ１４を操作することにより、情報グループの再生遷移を行うこととなる。
【０１２３】
第３実施形態では、画面遷移処理は図１５のフローチャートに従って行われるが、図１５におけるステップＳ２２４の特殊遷移処理は図２６のフローチャートに従って行われる。
図２６において、ステップＳ２８１では、画面遷移テーブルＴ２における再生中の情報グループのレコードに、当該情報グループのＩＤ＝３０に記述されている次再生情報コードと一致しない情報グループ（遷移先として登録されていない情報グループ）が、遷移元として複数登録されているかを判定する。そして、遷移元として複数の情報グループが登録されていない（遷移元として一つの情報グループが登録されている）と判定した場合はステップＳ２８２に移行し、複数の情報グループが登録されていると判定した場合はステップＳ２８３に移行する。
ステップＳ２８２では、遷移元として登録されている情報グループ（遷移先としては登録されていない）を参照する。
【０１２４】
ステップＳ２８３では、再生遷移する情報グループを利用者に選択させるための遷移元リスト画面を生成して表示する。この遷移元リストに含まれる情報グループも、遷移先としては登録されていないものである。
図２８は、第３実施形態に係る情報グループの再生画面（特殊遷移処理中）の一例を示す説明図である。
図２７に示す再生画面において、利用者が戻るボタンＢ１４を操作すると、情報グループ３には複数の遷移元（遷移先としては登録されていない）が登録されているので（ステップＳ２８１で“ＹＥＳ”）、図２８に示す遷移元リスト画面Ｄｓが表示される。図２８に示すように、この遷移元リスト画面Ｄｓは、例えば、情報グループの再生画面（メイン画面）Ｄｍに重畳して表示されるサブ画面である。
【０１２５】
遷移元リスト画面Ｄｓには、例えば、遷移元となる情報グループに遷移するための複数の遷移元ボタンＢ１５，Ｂ１６が表示される。この遷移元ボタンＢ１５，Ｂ１６には、画面遷移テーブルＴ２に登録されている遷移元情報の情報表示テキストが表示される。このように、図２８では、情報表示テキストが付加された遷移元ボタンＢ１５，Ｂ１６を縦方向に表示することにより、遷移元となる情報グループのリストを構成している。
また、遷移元リスト画面Ｄｓの右下領域には遷移元リスト画面Ｄｓを消去するためのとじるボタンＢ１７が表示され、リスト画面Ｄｓの上領域には「どちらへ移動しますか」という再生遷移を促すメッセージが表示されている。
【０１２６】
図２６において、ステップＳ２８４では、遷移元リスト画面に表示された遷移元ボタン（図２８のＢ１５，Ｂ１６）の操作がなされたか判定する。そして、遷移元ボタンの操作がなされたと判定した場合はステップＳ２８５に移行し、遷移元ボタンの操作がなされていないと判定した場合はステップＳ２８７に移行する。
ステップＳ２８５では、操作された遷移元ボタンに対応する情報グループを再生するために、操作された遷移元ボタンに対応する遷移元情報として登録されている情報グループを参照する。
【０１２７】
ステップＳ２８６では、図２５に示す再生処理３を行う。すなわち、ステップＳ２８２又はステップＳ２８５で参照した情報グループを再生するとともに、遷移元として登録されているが遷移先としては登録されていない情報グループがある場合に戻るボタンを表示する。
【０１２８】
例えば、図２８に示す再生画面（特殊遷移処理中）において、遷移元ボタンＢ１５が操作されると、遷移元ボタンＢ１５に対応する遷移元情報１として登録されている情報グループ１（△△△センターに関する情報）が再生される。また例えば、図２８に示す再生画面において、遷移元ボタンＢ１６が操作されると、遷移元ボタンＢ１６に対応する遷移元情報２として登録されている情報グループ２（△△△センターのお食事情報）が再生される。
【０１２９】
ステップＳ２８７では、遷移元リスト画面において、とじるボタン（図２８のボタンＢ１７）が操作されたか判定する。そして、とじるボタンが操作されたと判定した場合はステップＳ２８８に移行し、とじるボタンが操作されていないと判定した場合はステップＳ２８４に移行する。
ステップＳ２８８では、遷移元リスト画面を消去し、特殊遷移処理３を終了する。このとき、情報グループの再生遷移は行われない。
【０１３０】
なお、第３実施形態では、図１５におけるステップＳ２２３の通常遷移処理は図１６のフローチャートに従って行われるが、図１６のステップＳ２３２では図２５に示す再生処理３が行われる。
【０１３１】
上述したように、第３実施形態においては、図１３，図１５，図１６，図２５，図２６のフローチャートに従って、情報グループの表示制御処理が行われる。
すなわち、第３実施形態では、一つの情報グループに対して遷移元となりうる複数の情報グループがある場合、再生中の情報グループ（第１コンテンツ）の画面において、戻るボタン（図２７のボタンＢ１４）が操作されると（特定操作）、これに基づいて遷移元リスト画面が表示され、遷移元となりうる複数の情報グループ（第３コンテンツ）のそれぞれに対応する遷移元ボタン（図２８のボタンＢ１５，Ｂ１６）が表示される。このとき、遷移元リスト画面において、遷移元ボタンには情報表示テキストが付加される。
これにより、利用者は戻るボタンを操作することにより再生遷移する情報グループの内容を容易に認識することができる。また、再生遷移する情報グループを、利用者が複数の選択肢の中から決定するので、利用者は所望の情報グループに再生遷移させることができる。
さらに、情報グループの再生画面には、戻るボタン（図２７のボタンＢ１４）が操作されない限り、遷移元となる情報グループに再生遷移するための遷移元ボタン（図２８のボタンＢ１５，Ｂ１６）は表示されないので、多数の遷移元ボタンを表示することにより再生画面の表示が煩雑になるのを防止できる。
【０１３２】
また、情報グループの再生画面を表示させるときに、画面遷移テーブルＴ２の中から再生指示された情報グループのレコードを参照し、このレコードに遷移元として登録されている情報グループごとに、それぞれの情報グループが遷移先となる情報グループと一致するか否かを判定している。そして、遷移元として登録された情報グループであっても、遷移先として登録されている場合には、遷移元リスト画面において、この遷移元の情報グループに対応する遷移元ボタンを表示しないようにしている。つまり、再生中の情報グループに対して遷移元となる情報グループが、遷移先となる情報グループと異なる場合に、遷移元となる情報グループに遷移するための遷移元ボタンが表示される。
これにより、一つの情報グループに遷移するための操作ボタンが複数（遷移先ボタンと遷移元ボタン）表示されることはないので、利用者が混乱するのを防止できる。
【０１３３】
（第４実施形態）
第４実施形態では、画面遷移テーブルにおける各情報グループのレコードに、次再生情報コードに含まれる情報グループを遷移元として登録しないようにしている点が第１実施形態と異なる。なお、以下において前述の実施形態と同様の説明については省略する。
図２９は、第４実施形態に係る画面遷移テーブルＴ３の構成例を示す説明図である。ここで、センター装置１から配信されるコンテンツは図６に示すツリー構造を有するものとする。
【０１３４】
図２９に示すように、画面遷移テーブルＴ３に登録される情報グループには登録番号１，２，・・が付与され、情報グループごとに情報提供企業コード、情報コード、情報提供企業表示テキスト、情報表示テキスト、遷移元情報１、次再生情報コードが登録される。
図２９において、例えば情報グループ１のレコードには、遷移元情報１が“なし”で、次再生情報コードが“０００００２”（情報グループ２）、“０００００３”（情報グループ３）、“０００００５”（情報グループ５）、“０００００７”（情報グループ７）、“０００００８”（情報グループ８）であることが登録されている。
また例えば、情報グループ３のレコードには、遷移元情報１が“０００００１”（情報グループ１）、次再生情報コードが“０００００４”（情報グループ４）、“００００１０”（情報グループ１０）、“００００２０”（情報グループ２０）であることが登録されている。
第４実施形態では、後述する遷移元情報確認処理２において、情報グループＩを情報グループＹの遷移元として登録するか否かを判定する際に、情報グループＹの次再生情報コードを参照するため、第１実施形態に比較して参照回数が増えることとなる。そこで、参照回数が増えることに伴い処理時間が長くなるのを避けるために、画面遷移テーブルＴ３に、各情報グループが有する次再生情報コードを登録するようにしている。
【０１３５】
画面遷移テーブルＴ３において、遷移元情報以外の情報は、第１実施形態で説明した図９のステップＳ１０７において登録される。また、遷移元情報は図９のステップＳ１０９（詳細には図３０，３１）で登録される。
【０１３６】
第４実施形態に係る受信処理では、図９のステップＳ１０１〜Ｓ１０８に従って、画面遷移テーブルＴ３に遷移元情報以外の情報が登録される。なお、第４実施形態では、図９のステップＳ１０７において、受信した情報グループのＩＤ＝３０に次再生情報コードがあれば、これも画面遷移テーブルＴ３に登録されることとなる。
そして、図９のステップＳ１０９の遷移元情報確認処理は、図３０のフローチャートに従って行われる。
【０１３７】
図３０は、遷移元情報確認処理２（図９のステップＳ１０９）の一例について示すフローチャートである。
ステップＳ３０１では、画面遷移テーブルＴ３において先頭に登録されているレコードＩを参照する。
ステップＳ３０２では、参照中のレコードＩに次再生情報コードが登録されているか否かを判定する。そして、レコードＩに次再生情報コードが登録されていると判定した場合はステップＳ３０３に移行し、次再生情報コードが登録されていないと判定した場合（例えば、情報グループＩが最下位階層の情報グループの場合）はステップＳ３０７に移行する。
ステップＳ３０３では、レコードＩの１番目に登録されている次再生情報コードで指定される情報グループＹのレコードＹを、画面遷移テーブルＴ３から検索する。
【０１３８】
ステップＳ３０４では、情報グループＩの情報コードを、その遷移先となる情報グループＹのレコードＹに、遷移元情報として登録するための遷移元情報登録処理を行う。この遷移元情報確認処理は、図３１に示すフローチャートに従って行われる。
図３１は、遷移元情報登録処理２の一例について示すフローチャートである。
ステップＳ３１１では、レコードＹの次再生情報コードの中に、情報グループＩの情報コードと一致するものがあるか否かを判定する。そして、レコードＹの次再生情報コードの中に情報グループＩの情報コードが登録されていると判定した場合は、この情報グループＩを情報グループＹの遷移元として登録せずに、遷移元情報登録処理２を終了する。情報グループＩが情報グループＹの下位階層であれば、情報グループＹの次再生情報コードの中に情報グループＩの情報コードが必ずあるので、この情報グループＩは情報グループＹの遷移元として登録されない。つまり、第４実施形態では、下位階層以外の情報グループだけが遷移元として登録され得ることとなる。
一方、レコードＹの次再生情報コードの中に情報グループＩの情報コードが登録されていないと判定した場合はステップＳ３１２に移行する。
ステップＳ３１２〜Ｓ３１４の処理は、図１１のステップＳ１３１〜Ｓ１３３の処理と同様であるので説明を省略する。
この遷移元情報登録処理２により、画面遷移テーブルＴ３のレコードＹの遷移元情報に、情報グループＩの情報コードが登録／非登録される。遷移元情報登録処理２を終了すると、図３０のフローチャートに復帰する。
【０１３９】
図３０のステップＳ３０５では、レコードＩに他の次再生情報コードが登録されているか否かを判定する。そして、レコードＩに他の次再生情報コードが登録されていると判定した場合はステップＳ３０６に移行し、他の次再生情報コードが登録されていないと判定した場合はステップＳ３０７に移行する。
ステップＳ３０６では、レコードＩに登録されている次の次再生情報コードで指定される情報グループＹのレコードＹを画面遷移テーブルＴ３から検索し、ステップＳ３０４以降の処理を行う。
ステップＳ３０４〜Ｓ３０６を繰り返すことにより、情報グループＩが遷移元となりうるすべての情報グループＹについて、そのレコードＹの遷移元情報に情報グループＩの情報コードが登録／非登録されることとなる。
【０１４０】
ステップＳ３０７では、画面遷移テーブルＴ３に他の情報グループのレコードがあるか否か、すなわち、ステップＳ３０２以降の処理を受けていない情報グループのレコードがあるか否かを判定する。そして、他の情報グループのレコードがあると判定した場合はステップＳ３０８に移行し、他の情報グループのレコードがないと判定した場合は遷移元情報確認処理２を終了する。
ステップ３０８では、画面遷移テーブルＴ３において次に登録されているレコードＩを参照し、ステップＳ３０２以降の処理を行う。
【０１４１】
図９，図３０，図３１に示す処理により、すべての情報グループについて、当該情報グループの再生画面から遷移元となる情報グループの再生画面に遷移するための画面遷移テーブルＴ３が作成される。なお、ツリー構造の最上位階層の情報グループについては、遷移元情報は登録されない。
このように、第４実施形態では、一つの情報グループＹに対して、遷移元となりうる複数の情報グループＩがある場合、複数の情報グループＩの中から所定の条件に従って優先される一つの情報グループＩを選択して、情報グループＹの遷移元として設定する。そして、情報グループＹの再生画面において、遷移元として設定された情報グループＩに遷移するための遷移元ボタンが表示されることとなる。
【０１４２】
第４実施形態に係る表示制御処理は、図１３のフローチャートに従って行われる。ただし、ステップＳ２０２の再生処理は図３２のフローチャートに従って行われる。
【０１４３】
図３２は、第４実施形態に係る再生処理４の一例について示すフローチャートである。
図３２に示すように、再生処理４では、図１４に示す第１実施形態に係る再生処理１において、ステップＳ２１３が省略されている。
すなわち、第４実施形態では、画面遷移テーブルＴ３におけるレコードの遷移元情報には、次再生情報コードと一致するものは登録されないので（図３１のステップＳ３１１で“ＹＥＳ”）、画面遷移テーブルＴ３における再生指示された情報グループのレコードに遷移元情報が登録されている場合に遷移元ボタンを表示させても、遷移先ボタンと重複して表示されることはない。
【０１４４】
図３２に示す再生処理４が実行されると、出力部５４５のディスプレイには、例えば、図１８〜２０に示す再生画面が表示される。そして、図１８〜２０に示す再生画面において、利用者は、遷移元ボタンＢ１〜Ｂ３，Ｂ６〜Ｂ１１又は遷移先ボタンＢ４を操作することにより、情報グループの再生遷移を行うこととなる。
【０１４５】
第４実施形態では、画面遷移処理は図１５〜１７のフローチャートに従って行われるが、図１６のステップＳ２３２、図１７のステップＳ２４２では図３２に示す再生処理４が行われる。
【０１４６】
上述したように、第４実施形態においては、図１３，図１５〜１７，図３２のフローチャートに従って、情報グループの表示制御処理が行われる。
第４実施形態では、画面遷移テーブルＴ３における各情報グループのレコードに遷移元として登録される情報グループは一つとなるので、一つの遷移元ボタン（図１８，１９のボタンＢ４）の操作という極めて簡単な操作により、遷移元である情報グループに再生遷移することができる。また、遷移元として登録される情報グループは、優先ルールに従って決定されるので、遷移元ボタンの操作がなされたときに、利用者が所望する情報グループとかけ離れた情報グループが再生される虞は少ない。
【０１４７】
また、受信処理時に画面遷移テーブルＴ３に登録される各情報グループについて、遷移元となる情報グループが遷移先となる情報グループと一致するか否かを判定し、遷移先となる情報グループと一致しない情報グループだけを遷移元情報として登録している。したがって、遷移先として登録されている情報グループが遷移元として登録されることはないので、この情報グループに対応する遷移元ボタンは表示されない。つまり、再生中の情報グループに対して遷移元となる情報グループが、遷移先となる情報グループと異なる場合に、遷移元となる情報グループに遷移するための遷移元ボタンが表示される。
これにより、一つの情報グループに遷移するための操作ボタンが複数（遷移先ボタンと遷移元ボタン）表示されることはないので、利用者が混乱するのを防止できる。
【０１４８】
（第５実施形態）
第５実施形態では、画面遷移テーブルにおける各情報グループのレコードに、遷移元として複数の情報グループを登録できるようにしている点が第４実施形態と異なる。なお、以下において前述の実施形態と同様の説明については省略する。
図３３は、第５実施形態に係る画面遷移テーブルＴ４の構成例を示す説明図である。ここで、センター装置１から配信されるコンテンツは図６に示すツリー構造を有するものとする。
図３３に示すように、画面遷移テーブルＴ４に登録される情報グループには登録番号１，２，・・が付与され、情報グループごとに情報提供企業コード、情報コード、情報提供企業表示テキスト、情報表示テキスト、遷移元情報１、遷移元情報１の情報表示用テキスト、遷移元情報２、遷移元情報２の情報表示用テキスト、・・、次再生情報コードが登録される。
【０１４９】
画面遷移テーブルＴ４において、遷移元情報以外の情報は、第１実施形態で説明した図９のステップＳ１０７において登録される。また、遷移元情報は図９のステップＳ１０９（詳細には図３０，３１）で登録される。
【０１５０】
第５実施形態に係る受信処理では、第４実施形態で説明した処理（図９，図３０，図３１）とほぼ同様に行われる。第４実施形態では、図３１に示す遷移元情報登録処理２において、情報グループの遷移元となりうる情報グループが複数ある場合、優先ルールに従って一つの情報グループを遷移元として登録する。これに対して、第５実施形態では、情報グループの遷移元となりうるすべての情報グループを遷移元として登録する。
第５実施形態では、図３０のステップＳ３０４の遷移元情報登録処理は、図３４に示すフローチャートに従って行われる。すなわち、図３１において、ステップＳ３１２，Ｓ３１３の処理は省略され、画面遷移テーブルＴ４における情報グループＹのレコードには、遷移元として情報グループＩがすべて追加登録されることとなる。このとき、遷移元情報として情報コードを登録するだけでなく、情報コードに対応する情報表示テキストも登録される。そして、情報グループＹの再生画面では、遷移元として登録された複数の情報グループＩのそれぞれに遷移するための遷移元ボタンが表示されることとなる。
【０１５１】
第５実施形態に係る表示制御処理は、第４実施形態と同様に、図１３のフローチャートに従って行われる。ただし、ステップＳ２０２の再生処理は、図３２のフローチャートに従って行われる。
第５実施形態では、図３２のステップＳ４０３において、画面遷移テーブルＴ４における再生中の情報グループのレコードに登録されているすべての遷移元情報に対応して、複数の遷移元ボタンが表示されることとなる。つまり、図２２の再生処理２において、ステップＳ２５４を省略した処理となる。
第５実施形態では、画面遷移テーブルＴ４におけるレコードの遷移元情報には、次再生情報コードと一致するものは登録されないので（図３１のステップＳ３１１で“ＹＥＳ”）、画面遷移テーブルＴ４における再生指示された情報グループのレコードに遷移元情報が登録されている場合に遷移元ボタンを表示させても、遷移先ボタンと重複して表示されることはない。
【０１５２】
図３２に示す再生処理４が実行されると、出力部５４５のディスプレイには、例えば、図２４に示す再生画面が表示される。そして、図２４に示す再生画面において、利用者は、遷移元ボタンＢ１２，Ｂ１３のいずれかを操作することにより、情報グループの再生遷移を行うこととなる。
【０１５３】
第５実施形態では、画面遷移処理は図１５〜１７のフローチャートに従って行われるが、図１６のステップＳ２３２、図１７のステップＳ２４２では図３２に示す再生処理４が行われる。
【０１５４】
上述したように、第５実施形態においては、図１３，図１５〜１７，図３２のフローチャートに従って、情報グループの表示制御処理が行われる。
すなわち、第５実施形態では、一つの情報グループに対して遷移元となりうる複数の情報グループがある場合、再生中の情報グループ（第１コンテンツ）の画面において、遷移元となりうる複数の情報グループ（第３コンテンツ）のそれぞれに対応する遷移元ボタンが表示される（図２４のボタンＢ１２，１３）。このとき、遷移元ボタンには情報表示テキストが付加される。
これにより、利用者は遷移元ボタンを操作することにより再生遷移する情報グループの内容を容易に認識することができる。また、再生遷移する情報グループを、利用者が複数の選択肢の中から決定するので、利用者は所望の情報グループに再生遷移させることができる。
【０１５５】
また、受信処理時に画面遷移テーブルＴ４に登録される各情報グループについて、遷移元となる情報グループが遷移先となる情報グループと一致するか否かを判定し、遷移先となる情報グループと一致しない情報グループだけを遷移元情報として登録している。したがって、遷移先として登録されている情報グループが遷移元として登録されることはないので、この情報グループに対応する遷移元ボタンは表示されない。つまり、再生中の情報グループに対して遷移元となる情報グループが、遷移先となる情報グループと異なる場合に、遷移元となる情報グループに遷移するための遷移元ボタンが表示される。
これにより、一つの情報グループに遷移するための操作ボタンが複数（遷移先ボタンと遷移元ボタン）表示されることはないので、利用者が混乱するのを防止できる。
【０１５６】
なお、第５実施形態では、図２２に示す再生処理２に相当する処理を行うことにより、第２実施形態と同様の表示制御がなされる場合について説明したが、図２５に相当する再生処理３、図２６に相当する特殊遷移処理３を行うことにより、第３実施形態と同様の表示制御とすることもできる。
【０１５７】
（第６実施形態）
第６実施形態では、画面遷移テーブルに遷移先一致フラグを設定し、この遷移先一致フラグに基づいて遷移元ボタンの表示／非表示を制御する点が第４実施形態と異なる。なお、以下において前述の実施形態と同様の説明については省略する。
【０１５８】
図３５は、第６実施形態に係る画面遷移テーブルＴ５の構成例を示す説明図である。ここで、センター装置１から配信されるコンテンツは図３６に示すツリー構造を有するものとする。図３６に示すツリー構造では、情報グループ７の遷移先として情報グループ２が登録されている。
図３５に示すように、画面遷移テーブルＴ５は、図２９に示す画面遷移テーブルＴ３において、それぞれのレコードに遷移先一致フラグ欄を設けたものである。遷移先一致フラグとは、ある情報グループの遷移元となりうる情報グループのいずれかが、遷移先としても登録されているか否かを示すフラグで、遷移元かつ遷移先となっている場合に遷移先一致フラグは“オン”に設定される。
【０１５９】
図３６に示す情報グループ７については、情報グループ２が遷移元となりうる一方、遷移先としても登録されている（情報グループ７の次再生情報コードに含まれている）。したがって、図３５に示す画面遷移テーブルＴ５において、情報グループ７のレコードには、遷移先一致フラグとして“オン”が設定されている。
【０１６０】
第６実施形態に係る受信処理は第４実施形態とほぼ同様に行われるが、遷移元情報登録処理は図３７のフローチャートに従って行われる。
図３７は、遷移元情報登録処理４の一例について示すフローチャートである。
ステップＳ３２１では、図３０のステップＳ３０３で検索されたレコードＹを参照し、当該レコードＹの遷移先一致フラグが“オン”に設定されているか否かを判定する。そして、レコードＹの遷移先一致フラグが“オン”に設定されていると判定した場合は情報グループＩの情報コードを遷移元情報として登録することなく、遷移元情報登録処理４を終了する。
一方、レコードＹの遷移先一致フラグが“オン”に設定されていないと判定した場合は、ステップＳ３２２に移行する。
【０１６１】
ステップＳ３２２では、レコードＹの次再生情報コードの中に、情報グループＩの情報コードと一致するものがあるか否かを判定する。そして、レコードＹの次再生情報コードの中に情報グループＩの情報コードが登録されていると判定した場合は、ステップＳ３２３に移行し、レコードＹの次再生情報コードの中に情報グループＩの情報コードが登録されていないと判定した場合はステップＳ３２４に移行する。
ステップＳ３２３では、レコードＹの遷移先一致フラグを“オン”に設定し、遷移元情報登録処理４を終了する。
ステップＳ３２４〜Ｓ３２６の処理は、図３１のステップＳ３１２〜Ｓ３１４（図１１のステップＳ１３１〜Ｓ１３３）の処理と同様であるので説明を省略する。
この遷移元情報登録処理４により、画面遷移テーブルＴ５のレコードＹの遷移元情報に、情報グループＩの情報コードが登録／非登録されるとともに、遷移先一致フラグが設定される。遷移元情報登録処理４を終了すると、図３０のフローチャートに復帰する。
【０１６２】
図９，図３０，図３７に示す処理により、すべての情報グループについて、当該情報グループの再生画面から遷移元となる情報グループの再生画面に遷移するための画面遷移テーブルＴ５が作成される。
【０１６３】
第６実施形態に係る表示制御処理は第４実施形態とほぼ同様に行われるが、再生処理は図３８のフローチャートに従って行われる。
図３８は、第６実施形態に係る再生処理５の一例について示すフローチャートである。
図３８に示すように、再生処理５では、図３２に示す再生処理４において、ステップＳ４０１の後段にステップＳ４１２の処理が追加されている。
すなわち、第６実施形態では、再生指示された情報グループを再生する場合に、画面遷移テーブルＴ５の中から当該情報グループのレコードを参照し、遷移先一致フラグが“オン”となっているか否かを判定する（ステップＳ４１２）。
【０１６４】
そして、ステップＳ４１２で、遷移先一致フラグが“オン”に設定されていると判定した場合は遷移元ボタンを表示せずに再生処理５を終了する。一方、遷移先一致フラグが“オン”に設定されていないと判定した場合はステップＳ４１３に移行し、図３２のステップＳ４０２，４０３と同様の処理を行う。
【０１６５】
画面遷移テーブルＴ５において、情報グループ７については、情報グループ１が遷移元情報として登録されているが、他の遷移元である情報グループ２が遷移先として登録され、遷移先一致フラグが“オン”に設定されているので、情報グループ１に遷移するための遷移元ボタンは表示されず、情報グループ２に遷移するための遷移先ボタンだけが表示されることとなる。
【０１６６】
上述したように、第６実施形態では、再生中の情報グループに対して遷移元となる情報グループの何れか一つが、再生中の情報グループに対して遷移先となる情報グループと一致する場合、すなわち、遷移先一致フラグが“オン”に設定されている場合は、画面遷移テーブルのレコードに遷移元情報が登録されていても遷移元ボタンを表示しないようにしている。
再生中の情報グループに対して遷移元となる情報グループが予め次再生情報コードに記述されていることから、この遷移先として登録された情報グループに再生遷移させたい（言い換えると、他の遷移元に遷移させたくない）というデータ作成者の意図が伺えるので、第６実施形態ではこれを優先することとしている。
【０１６７】
なお、第６実施形態は、第４実施形態において遷移先一致フラグを利用して表示制御処理を行う形態となっているが、第１実施形態と組み合わせて適用することもできる。
【０１６８】
（第７実施形態）
第７実施形態では、画面遷移テーブルにおける各情報グループのレコードに、遷移元として複数の情報グループを登録できるようにしている点が第６実施形態と異なる。なお、以下において前述の実施形態と同様の説明については省略する。
【０１６９】
図３９は、第７実施形態に係る画面遷移テーブルＴ６の構成例を示す説明図である。ここで、センター装置１から配信されるコンテンツは図３６に示すツリー構造を有するものとする。
図３９に示すように、画面遷移テーブルＴ６は、図３３に示す画面遷移テーブルＴ４において、それぞれのレコードに遷移先一致フラグ欄を設けたものである。
【０１７０】
図３６に示す情報グループ７については、情報グループ２が遷移元となりうる一方、遷移先としても登録されている。したがって、図３９に示す画面遷移テーブルＴ６において、情報グループ７のレコードには、遷移先一致フラグとして“オン”が設定されている。
【０１７１】
第７実施形態に係る受信処理は、第６実施形態で説明した処理（図９，図３０，図３７）とほぼ同様に行われる。第６実施形態では、図３７に示す遷移元情報登録処理４において、情報グループの遷移元となりうる情報グループが複数ある場合、優先ルールに従って一つの情報グループを遷移元として登録する。これに対して、第７実施形態では、情報グループの遷移元となりうるすべての情報グループを遷移元として登録する。
【０１７２】
第７実施形態では、図３０のステップＳ３０４の遷移元情報登録処理は、図４０に示すフローチャートに従って行われる。すなわち、図３７において、ステップＳ３２４，Ｓ３２５の処理は省略され、画面遷移テーブルＴ６における情報グループＹのレコードには、遷移元として情報グループＩがすべて追加登録されることとなる。このとき、遷移元情報として情報コードを登録するだけでなく、情報コードに対応する情報表示テキストも登録される。そして、遷移先一致フラグが“オフ”に設定されていれば、情報グループＹの再生画面において、遷移元として登録された複数の情報グループＩのそれぞれに遷移するための遷移元ボタンが表示されることとなる。
【０１７３】
第７実施形態に係る表示制御処理は第６実施形態とほぼ同様に行われる。第７実施形態では、図３８のステップＳ４１４において、画面遷移テーブルＴ６における再生中の情報グループのレコードに登録されているすべての遷移元情報に対応して、複数の遷移元ボタンが表示されることとなる。
【０１７４】
画面遷移テーブルＴ６において、情報グループ７については、情報グループ１，２が遷移元情報として登録されているが、情報グループ２は遷移先としても登録され、遷移先一致フラグが“オン”に設定されている。したがって、情報グループ１，２に遷移するための遷移元ボタンは表示されず、情報グループ２に遷移するための遷移先ボタンだけが表示されることとなる。
【０１７５】
上述したように、第７実施形態では、再生中の情報グループに対して遷移元となる情報グループの何れか一つが、再生中の情報グループに対して遷移先となる情報グループと一致する場合、すなわち、遷移先一致フラグが“オン”に設定されている場合は、画面遷移テーブルのレコードに遷移元情報が登録されていても遷移元ボタンを表示しないようにしている。
再生中の情報グループに対して遷移元となる情報グループが予め次再生情報コードに記述されていることから、この遷移先として登録された情報グループに再生遷移させたい（言い換えると、他の遷移元に遷移させたくない）というデータ作成者の意図が伺えるので、第７実施形態ではこれを優先することとしている。
【０１７６】
なお、第７実施形態は、第５実施形態において遷移先一致フラグを利用して表示制御処理を行う形態となっているが、第２実施形態または第３実施形態と組み合わせて適用することもできる。
【０１７７】
（変形例）
上述した第１〜第７実施形態では、情報グループのＩＤ＝３０に遷移先となる情報グループの情報コード（次再生情報コード）だけが記述されている場合、すなわちツリー構造における階層の上下関係を判別困難な場合（図７参照）について説明したが、情報グループのＩＤ＝３０に、次再生情報コードに加えてツリー構造における階層の上下関係を示す情報を含める仕様も考えられる。
【０１７８】
例えば、ＩＤ＝３０に記述される次再生情報コード８を上位階層または同位階層への遷移の記述専用とし、下位階層への遷移の記述には次再生情報コード１〜７を使うようにすることで、次再生情報コードの番号から階層の上下関係を区別できる。
また例えば、ＩＤ＝３０に記述される次再生情報コードに対応付けて遷移の方向（上位階層、下位階層、同位階層）を表すフラグ（遷移方向フラグ）を追加することで、このフラグに基づいて階層の上下関係を区別できる。この場合、例えば、上位階層を表すフラグを“００”、同位階層（前）を表すフラグを“０１”、同位階層（後）を表すフラグを“１０”、下位階層を表すフラグを“１１”と定義する。なお、同位階層の情報グループについては、遷移の前後方向（前ページ、次ページ）があるので、同位階層（前）と同位階層（後）を区別する。
このように、ツリー構造における階層の上下関係を示す情報を含めた仕様で情報グループが送信される場合には、上述した第１〜第７実施形態を以下のように適用する。
【０１７９】
第１実施形態の変形例では、図１０に示す遷移元情報確認処理１のステップＳ１１５，Ｓ１１８において、情報グループＹが情報グループＩの下位階層または同位階層であるかを判別する。そして、下位階層または同位階層となる場合にだけ遷移元情報登録処理（図１０のステップＳ１１６，図１１）の対象とする。例えば、図６において、情報グループ２０の遷移先の一つとして情報グループ３が登録されているので、情報グループ２０は情報グループ３の遷移元の一つといえるが、情報グループ３の下位階層であるので、情報グループ３の遷移元として扱われないようになる。
これにより、遷移元情報登録処理の実行回数が低減されるので、遷移元情報登録処理に係るＣＰＵの処理負担が軽減されるとともに、遷移元情報確認処理に要する時間が短縮される。
【０１８０】
また、第１実施形態の変形例では、情報グループの表示制御処理において、図４１に示す再生処理６が行われる。図４１に示す再生処理６では、図１４のステップＳ２１１（図４１のステップＳ４２１に対応）の後段にステップＳ４２２を追加している。
図４１のステップＳ４２２では、再生指示された情報グループのＩＤ＝３０に上位階層への遷移であることが明示された次再生情報コードがあるか否かを判定する。具体的には、次再生情報コードの番号や遷移方向フラグに基づいて判定する。このとき、当該情報コードのＩＤ＝３０は、ステップＳ４２１において遷移先ボタン（数字ボタン）を生成するために参照されているので、改めてデータを参照しなくとも判定可能である。
【０１８１】
そして、上位階層への遷移であることが明示された次再生情報コードがない場合に、ステップＳ４２３以降の処理により遷移元ボタンの表示／非表示を制御する。なお、上位階層への遷移が明示されていないにもかかわらず、遷移元へ戻るような次再生情報コードが含まれる可能性もあるので、ステップＳ４２４（図１４のステップＳ２１３に対応）の処理は行うようにしている。
これにより、再生指示された情報グループが上位階層の情報グループを遷移先として有する場合には、遷移元ボタンの表示／非表示を判定するための処理は行われなくなるので、表示制御に係るＣＰＵの処理負担を軽減することができる。
【０１８２】
第２実施形態の変形例では、第１実施形態の変形例と同様に遷移元情報確認処理が行われる。
また、第２実施形態の変形例では、情報グループの表示制御処理において、図４２に示す再生処理７が行われる。図４２に示す再生処理７では、図２２のステップＳ２５１（図４２のステップＳ４３１に対応）の後段にステップＳ４３２を追加している。図４２のステップＳ４３２の処理は、図４１のステップＳ４２２と同様である。
これにより、再生指示された情報グループが上位階層の情報グループを遷移先として有する場合には、ステップＳ４４３以降の処理は行われなくなるので、処理に要するＣＰＵの負担を軽減することができるとともに、この情報グループに再生遷移させたいというデータ作成者の意図が優先されることとなる。
【０１８３】
第３実施形態の変形例では、第１実施形態の変形例と同様に遷移元情報確認処理が行われる。
また、第３実施形態の変形例では、情報グループの表示制御処理において、図４３に示す再生処理８が行われる。図４３に示す再生処理８では、図２５のステップＳ２７１（図４３のステップＳ４４１に対応）の後段にステップＳ４４２を追加している。図４３のステップＳ４４２の処理は、図４１のステップＳ４２２と同様である。
これにより、再生指示された情報グループが上位階層の情報グループを遷移先として有する場合には、ステップＳ４４３以降の処理は行われなくなるので、処理に要するＣＰＵの負担を軽減することができるとともに、この情報グループに再生遷移させたいというデータ作成者の意図が優先されることとなる。
【０１８４】
第４実施形態の変形例では、図９に示す受信処理のステップＳ１０７において、画面遷移テーブルに次再生情報コードを登録する際に、遷移方向フラグ等の遷移の方向を示す情報も登録する。そして、図３０に示す遷移元情報確認処理２のステップＳ３０３，Ｓ３０６において、情報グループＹが情報グループＩの下位階層または同位階層であるかを判別し、下位階層または同位階層となる場合にだけ遷移元情報登録処理（図３０のステップＳ３０４，図３１）の対象とする。また、図３１に示す遷移元情報登録処理２のステップＳ３１１では、レコードＹの次再生情報コードのうち、上位階層または同位階層であるものとだけ比較を行うだけでよい。
これにより、遷移元情報登録処理の実行回数が低減されるので、遷移元情報登録処理に係るＣＰＵの処理負担が軽減されるとともに、遷移元情報確認処理に要する時間が短縮される。
【０１８５】
第５実施形態の変形例では、第４実施形態の変形例とほぼ同様に受信処理、遷移元情報確認処理が行われる。ただし、遷移元情報登録処理は、図３４のフローチャートに従う。つまり、図３４に示す遷移元情報登録処理３のステップＳ３３１では、レコードＹの次再生情報コードのうち、上位階層または同位階層であるものとだけ比較を行うこととなる。
これにより、遷移元情報登録処理の実行回数が低減されるので、遷移元情報登録処理に係るＣＰＵの処理負担が軽減されるとともに、遷移元情報確認処理に要する時間が短縮される。
【０１８６】
第６，第７実施形態の変形例では、図９に示す受信処理のステップＳ１０７において、画面遷移テーブルに次再生情報コードを登録する際に、遷移方向フラグ等の遷移の方向を示す情報も登録する。このとき、上位階層または同位階層へ遷移するための次再生情報コードが一つ以上あれば、遷移先一致フラグを“オン”に設定する。
そして、図３０に示す遷移元情報確認処理２のステップＳ３０３，Ｓ３０６において、情報グループＹが情報グループＩの下位階層または同位階層であるかを判別し、下位階層または同位階層となる場合にだけ遷移元情報登録処理（図３０のステップＳ３０４，図３７または図４０）の対象とする。
これにより、遷移元情報登録処理の実行回数が低減されるので、遷移元情報登録処理に係るＣＰＵの処理負担が軽減されるとともに、遷移元情報確認処理に要する時間が短縮される。また、次再生情報コードに付加されている情報から階層の上下関係を判断できる場合は、図３７のステップＳ３２２以降の処理、または図４０のＳ３４２以降の処理を最初から省略できるので、処理が格段に簡略化される。
【０１８７】
なお、図３７のステップＳ３２１、図４０のステップＳ３４１の代わりに、レコードＹの次再生情報コードの中に下位階層以外の情報グループが登録されているか否かを判定し、下位階層以外への遷移がある場合に遷移元情報を登録することなく処理を終了するようにしてもよい。つまり、レコードＹに上位階層への遷移がある場合には、遷移元と遷移先が重複することとなるので、遷移元情報を登録する必要はないためである。この場合は、遷移先一致フラグは利用されず、遷移元情報の有無で遷移元ボタンの表示／非表示は制御されることとなる。
【０１８８】
以上、本発明者によってなされた発明を実施形態に基づいて具体的に説明したが、本発明は上記実施形態に限定されるものではなく、その要旨を逸脱しない範囲で変更可能である。
例えば、情報グループの再生画面において、遷移先ボタンまたは／及び遷移元ボタンの表示態様を、利用者が認識しやすいように変更してもよい。
図４４は、情報グループの再生画面の変形例を示す説明図である。
図４４（ａ）では、図１８における遷移元ボタン（戻るボタン）Ｂ４を、遷移元に戻ることを示す矢印を付したボタン４ａとしている。
また、図４４（ｂ）では、図２０における遷移先ボタンＢ１１の表示を、遷移元に戻ることを示す矢印画像を付したボタンＢ１１ａとしている。ボタンＢ１１ａは遷移先ボタンであるが、対応する情報グループは再生中の情報グループの遷移元でもあるので、図４４（ｂ）のように表示する方が、利用者にとっては遷移元に戻るボタンであることを直感的に認識できるので望ましい。
また、図４４（ｂ）では、ボタンＢ１１ａに対応する情報グループの表示も「○□△ＳＣ○○店」ではなく「戻る」とすることで、遷移元の情報グループであることをわかりやすく示している。
【０１８９】
また、上記実施形態では、情報グループの再生遷移を行うための操作部（遷移先ボタン、遷移元ボタン）を出力部５４５のディスプレイに表示させる、いわゆるソフトキーで構成しているが、操作部をハードキーで構成し、ディスプレイ内のハードキーに近接する領域に、ハードキーに対応付けた情報を表示させるようにしてもよい。
また、第１から第７実施形態で説明した情報グループの表示制御処理は、適宜組み合わせて利用することが可能である。
【０１９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９１】
【図１】本実施形態に係る路車間通信システム１００のシステム構成を示す説明図である。
【図２】センター装置１及び路側無線装置２の内部構成を示すブロック図である。
【図３】路側無線装置２の通信可能範囲である路側エリアＺの説明図である。
【図４】車両Ｃに搭載される車載器５の一構成例を示すブロック図である。
【図５】センター装置１から配信されるコンテンツのデータ構造の一例について示す説明図である。
【図６】センター装置１から配信されるコンテンツが有するツリー構造の一例について示す説明図である。
【図７】情報グループを構成する各要素の詳細内容の一例を示す説明図である。
【図８】画面遷移テーブルＴ１の構成例を示す説明図である。
【図９】受信処理１の一例について示すフローチャートである。
【図１０】遷移元情報確認処理１の一例について示すフローチャートである。
【図１１】遷移元情報登録処理１の一例について示すフローチャートである。
【図１２】第１実施形態において遷移元情報を登録する際の優先ルールの一例について示す説明図である。
【図１３】表示制御処理の一例について示すフローチャートである。
【図１４】再生処理１の一例について示すフローチャートである。
【図１５】画面遷移処理の一例について示すフローチャートである。
【図１６】通常遷移処理１の一例について示すフローチャートである。
【図１７】特殊遷移処理１の一例について示すフローチャートである。
【図１８】第１実施形態に係る情報グループの再生画面の一例を示す説明図である。
【図１９】第１実施形態に係る情報グループの再生画面の一例を示す説明図である。
【図２０】第１実施形態に係る情報グループの再生画面の一例を示す説明図である。
【図２１】画面遷移テーブルＴ２の構成例を示す説明図である。
【図２２】再生処理２の一例について示すフローチャートである。
【図２３】特殊遷移処理２の一例について示すフローチャートである。
【図２４】第２実施形態に係る情報グループの再生画面の一例を示す説明図である。
【図２５】再生処理３の一例について示すフローチャートである。
【図２６】特殊遷移処理３の一例について示すフローチャートである。
【図２７】第３実施形態に係る情報グループの再生画面の一例を示す説明図である。
【図２８】第３実施形態に係る情報グループの再生画面（特殊遷移処理中）の一例を示す説明図である。
【図２９】画面遷移テーブルＴ３の構成例を示す説明図である。
【図３０】遷移元情報確認処理２の一例について示すフローチャートである。
【図３１】遷移元情報登録処理２の一例について示すフローチャートである。
【図３２】再生処理４の一例について示すフローチャートである。
【図３３】画面遷移テーブルＴ４の構成例を示す説明図である。
【図３４】遷移元情報登録処理３の一例について示すフローチャートである。
【図３５】画面遷移テーブルＴ５の構成例を示す説明図である。
【図３６】センター装置１から配信されるコンテンツが有するツリー構造の一例について示す説明図である。
【図３７】遷移元情報登録処理４の一例について示すフローチャートである。
【図３８】再生処理５の一例について示すフローチャートである。
【図３９】画面遷移テーブルＴ６の構成例を示す説明図である。
【図４０】遷移元情報登録処理５の一例について示すフローチャートである。
【図４１】再生処理６の一例について示すフローチャートである。
【図４２】再生処理７の一例について示すフローチャートである。
【図４３】再生処理８の一例について示すフローチャートである。
【図４４】情報グループの再生画面の変形例を示す説明図である。
【符号の説明】
【０１９２】
１  センター装置
２  路側無線装置
５  車載器
５１  制御部
５２  ＤＳＲＣ部
５３  ＶＩＣＳモジュール
５４  カーナビ部
５４１  カーナビ制御部
５４５  出力部
５４６  記憶部
１００  路車間通信システム
Ｃ  車両
Ｎ  ネットワーク
【図１】
2010049452.tif 000003
【図２】
2010049452.tif 000004
【図３】
2010049452.tif 000005
【図４】
2010049452.tif 000006
【図５】
2010049452.tif 000007
【図６】
2010049452.tif 000008
【図７】
2010049452.tif 000009
【図８】
2010049452.tif 000010
【図９】
2010049452.tif 000011
【図１０】
2010049452.tif 000012
【図１１】
2010049452.tif 000013
【図１２】
2010049452.tif 000014
【図１３】
2010049452.tif 000015
【図１４】
2010049452.tif 000016
【図１５】
2010049452.tif 000017
【図１６】
2010049452.tif 000018
【図１７】
2010049452.tif 000019
【図１８】
2010049452.tif 000020
【図１９】
2010049452.tif 000021
【図２０】
2010049452.tif 000022
【図２１】
2010049452.tif 000023
【図２２】
2010049452.tif 000024
【図２３】
2010049452.tif 000025
【図２４】
2010049452.tif 000026
【図２５】
2010049452.tif 000027
【図２６】
2010049452.tif 000028
【図２７】
2010049452.tif 000029
【図２８】
2010049452.tif 000030
【図２９】
2010049452.tif 000031
【図３０】
2010049452.tif 000032
【図３１】
2010049452.tif 000033
【図３２】
2010049452.tif 000034
【図３３】
2010049452.tif 000035
【図３４】
2010049452.tif 000036
【図３５】
2010049452.tif 000037
【図３６】
2010049452.tif 000038
【図３７】
2010049452.tif 000039
【図３８】
2010049452.tif 000040
【図３９】
2010049452.tif 000041
【図４０】
2010049452.tif 000042
【図４１】
2010049452.tif 000043
【図４２】
2010049452.tif 000044
【図４３】
2010049452.tif 000045
【図４４】
2010049452.tif 000046